(57)【要約】      （修正有）【課題】具体的な設定値の情報が無くても設定値を推測することができることで具体的な設定値の情報が不正行為により盗まれることが抑えられるとともに、当該設定値を示唆する示唆演出の実行により興趣に富む遊技が可能な遊技機を提供する。【解決手段】役抽選手段と、役の当選回数を個別に計数する計数手段と、所定契機で設定値を推測する精度としてのレベルを引き上げ可能なレベルアップ抽選を行うためのレベルアップ抽選手段と、レベルに応じて、設定値の推測に使用する役を決定する役決定手段と、役決定手段で決定した役に対応する計数手段の計数結果に基づき、設定値を推測する推測手段と、推測手段が推測した設定値に基づいて当該設定値を示唆する示唆演出を実行する演出手段とを備えたことを特徴とする。【選択図】図２３
2018094126.tif 000002
【特許請求の範囲】
【請求項１】
少なくとも複数種類の設定値に応じて異なる抽選確率が設定された複数の所定役を含む役に当選するか否かの役抽選を行う役抽選手段と、
前記役の当選回数を個別に計数する計数手段と、
所定契機で前記設定値を推測する精度としてのレベルを引き上げ可能なレベルアップ抽選を行うためのレベルアップ抽選手段と、
前記レベルに応じて、前記設定値の推測に使用する役を決定する役決定手段と、
前記役決定手段で決定した役に対応する前記計数手段の計数結果に基づき、前記設定値を推測する推測手段と、
前記推測手段が推測した前記設定値に基づいて当該設定値を示唆する示唆演出を実行する演出手段とを備えたことを特徴とする遊技機。
【請求項２】
遊技の進行を制御するメイン制御手段と、
前記メイン制御手段から送信される情報に基づき遊技の進行に合わせた演出の制御を行うサブ制御手段とを備え、
前記メイン制御手段は、前記役抽選手段を備え、
前記役抽選の抽選結果に関する情報を前記サブ制御手段に送信し、
前記サブ制御手段は、
前記計数手段と、前記レベルアップ抽選手段と、前記役決定手段と、前記推測手段と、前記演出手段とを備えることを特徴とする請求項１に記載の遊技機。
【請求項３】
前記メイン制御手段は、前記設定値の変更に伴い、前記設定値の変更の有無を前記サブ制御手段に送信するように形成され、
前記推測手段は、前記メイン制御手段から送信される前記設定値の変更の有無の情報を参照して、前記設定値を推測可能としたことを特徴とする請求項２に記載の遊技機。
【請求項４】
前記メイン制御手段は、前記設定値を前記サブ制御手段へ送信するように形成され、
前記サブ制御手段は、前記メイン制御手段から送信されてきた前記設定値と、前記推測手段が推測した前記設定値とが異なる場合には、当該情報を外部へ出力可能としたことを特徴とする請求項２又は請求項３に記載の遊技機。
【請求項５】
前記レベルが引き上げられると、前記設定値の推測に使用する役の個数が増加可能となるように設定されていることを特徴とする請求項１、２、３又は４に記載の遊技機。
【請求項６】
前記推測手段は、複数の遊技に渡って、前記設定値の推測結果を記憶し、この記憶された前記設定値を参照して、現在の設定値を推測可能としたことを特徴とする請求項１、２、３、４又は５に記載の遊技機。
【請求項７】
前記推測手段が推測した前記設定値を示唆する情報を外部へ出力可能としたことを特徴とする請求項１、２、３、４、５又は６に記載の遊技機。
【発明の詳細な説明】
【技術分野】
【０００１】
本発明は、スロットマシン等の遊技機に関する。
【背景技術】
【０００２】
従来、スロットマシン等の遊技機では、複数の図柄を変動表示可能な複数のリールと、遊技者の操作によりリールの図柄の変動表示を開始させるためのスタートスイッチと、複数のリールそれぞれに対応して設けられ、複数のリールの図柄の変動表示の開始後、遊技者の操作によりリールの図柄の変動表示を個別に停止させるための複数のストップスイッチと、遊技の進行及び演出を制御する制御装置と、種々の演出を外部に向かって報知する演出装置とを備えている。
【０００３】
この制御装置は、主に遊技の進行を司るメイン制御手段と、このメイン制御手段からの指示により遊技進行に伴う演出を主に司るサブ制御手段とを備えている。このメイン制御手段では、複数の役のいずれかに当選か又はハズレかの役の抽選（以下、「役抽選」とする。）を行う役抽選手段を有し、役抽選の結果及びストップスイッチの停止操作に基づいてリールの回転を停止させ、当選した役に係る図柄の組み合わせが有効なライン上に揃ったか否かの判定を行い、その判定の結果に応じて所定の利益を付与するようにしている。
【０００４】
従来の遊技機では、当該遊技機が設置される遊技ホールの管理者によって、変更可能な１から６までの６段階の設定値が設けられている。この設定値が１のときは、小役や、通常遊技よりも有利な有利遊技（具体的には、ボーナス状態）への移行役等の役抽選の当選確率が最も低く、設定値が１から６へ大きくなるにしたがって、原則として、これらの当選確率が同一又は高くなるように形成されている。
このような遊技機では、遊技者にとって、設定値が１であれば、他の設定値である場合に比べて、遊技者にとって不利な状態で遊技が進行し、一方、設定値が６であれば、他の設定値である場合に比べて、遊技者にとって有利な状況で遊技が進行することになる。このため、このような遊技機においては、設定値が１から６までのいずれの段階であるのかということが、遊技者にとって、最大の関心事となる。
【０００５】
しかし、設定値が１から６までのいずれの段階であるかということは、遊技ホールの管理者のみが知りうる情報であって、遊技者には知らされない情報である。このため、遊技者は、実際に遊技を行ったときの状況や、遊技機の上部や、遊技ホールに設置されているデータ機器の情報等から、設定値が１から６までのいずれの段階であるのかを推測することしかできない。
【０００６】
そのため、従来の遊技機において、所定の結果に応じて変動するポイントが設けられ、このポイントに応じて、設定値の示唆演出の信頼度を変化させるものが提案されている（特許文献１）。
【先行技術文献】
【特許文献】
【０００７】
【特許文献１】特開２０１１−９８１５２号公報
【発明の概要】
【発明が解決しようとする課題】
【０００８】
上述した特許文献１では、設定値が予め把握されている状態で、ポイントに応じて、低信頼度の演出や、高信頼度の演出を振り分けているものである。この場合、予め設定した設定値が既に判明している状態でポイントに応じて演出の種類を抽選により選択しているものであって、特に遊技結果により設定値を推測等しているものではない。
そのため、予め設定した設定値の具体的な情報が無い場合には、実施することができないという問題点が発生する。
したがって、本発明は、具体的な設定値の情報が無くても設定値を推測することができることで具体的な設定値の情報が不正行為により盗まれることが抑えられるとともに、当該設定値を示唆する示唆演出の実行により興趣に富む遊技が可能な遊技機を提供することを目的とする。
【課題を解決するための手段】
【０００９】
本発明は、次の点を特徴とする。すなわち、少なくとも複数種類の設定値に応じて異なる抽選確率が設定された複数の所定役を含む役に当選するか否かの役抽選を行う役抽選手段210と、前記役の当選回数を個別に計数する計数手段340と、所定契機で前記設定値を推測する精度としてのレベルを引き上げ可能なレベルアップ抽選を行うためのレベルアップ抽選手段350と、前記レベルに応じて、前記設定値の推測に使用する役を決定する役決定手段360と、前記役決定手段360で決定した役に対応する前記計数手段340の計数結果に基づき、前記設定値を推測する推測手段330と、前記推測手段330が推測した前記設定値に基づいて当該設定値を示唆する示唆演出を実行する演出手段（例えば演出実行制御手段320）とを備えたことを特徴とする。
【００１０】
本発明によれば、レベルアップ抽選手段350が、所定契機で設定値を推測する精度としてのレベルを引き上げ可能なレベルアップ抽選を行う。
役決定手段360が、前記レベルに応じて、設定値の推測に使用する役を決定し、推測手段330が、役決定手段360で決定した役に対応する計数手段340の計数結果に基づき、設定値を推測する。
演出手段（例えば演出実行制御手段320）が、推測手段330が推測した設定値に基づいて設定値を示唆する示唆演出を実行する。
【００１１】
本発明では、予め設定された設定値ではなく、役抽選の結果、役の当選回数を個別に計数することで、当該遊技結果に基づいて設定値を推測している。この推測した設定値に基づいて、当該設定値を示唆する演出を実行することで、遊技者の関心事である当該遊技機10の現在の設定値を予測することができ、興趣に富むものにすることができる。
さらに、遊技を進めていくことで、設定値を推測する精度が変化するため、興趣に富むものにすることができる。
さらに、本発明では、予め設定された設定値の具体的な情報が無くても、設定値を推測することができ、いわゆるゴト等の不正行為により予め設定された設定値の情報が盗まれることを防止することが可能となる。
【００１２】
また、本発明に係る遊技機10は、さらに、遊技の進行を制御するメイン制御手段200と、前記メイン制御手段200から送信される情報に基づき遊技の進行に合わせた演出の制御を行うサブ制御手段300とを備え、前記メイン制御手段200は、前記役抽選手段210を備え、前記役抽選の抽選結果に関する情報を前記サブ制御手段300に送信し、前記サブ制御手段300は、前記計数手段340と、前記レベルアップ抽選手段350と、前記役決定手段360と、前記推測手段330と、前記演出手段（例えば演出実行制御手段320）とを備えることを特徴とする。
【００１３】
本発明によれば、メイン制御手段200は、役抽選手段210を備えている。すなわち、複数種類の設定値に応じて異なる抽選確率が設定された複数の所定役を含む役に当選するか否かの役抽選は、メイン制御手段200において実施されている。
【００１４】
一方、計数手段340と、レベルアップ抽選手段350と、役決定手段360と、推測手段330と、演出手段（例えば演出実行制御手段320）とは、サブ制御手段300に備えている。すなわち、役抽選の結果に基づいて設定値を推測したり、設定値を推測する精度としてのレベルを引き上げたり、レベルに応じて、設定値の推測に使用する役を決定したり、推測した設定値に基づいて設定値を示唆する示唆演出を実行したりするのは、全てサブ制御手段300で実行している。
【００１５】
これにより、メイン制御手段200と、サブ制御手段300とで、役割の分担を図ることができる。
また、例えば、予め設定される設定値の情報は、メイン制御手段200だけに残しておいて、当該設定値の具体的な情報をサブ制御手段300に送信しないようにすると、予め設定した設定値の漏洩を抑えることが可能となる。
【００１６】
また、本発明に係る遊技機10は、さらに、前記メイン制御手段200は、前記設定値の変更に伴い、前記設定値の変更の有無を前記サブ制御手段300に送信するように形成され、前記推測手段330は、前記メイン制御手段200から送信される前記設定値の変更の有無の情報を参照して、前記設定値を推測可能としたことを特徴とする。
【００１７】
本発明によれば、メイン制御手段200は、設定値の変更の有無をサブ制御手段300に送信し、サブ制御手段300は、設定値の変更の有無の情報を参照して、設定値を推測可能とすることで、役抽選における当選の情報に加えて、設定値の変更の有無の情報により、より精度の高い設定値の推測を可能にすることができる。
【００１８】
また、本発明に係る遊技機10は、さらに、前記メイン制御手段200は、前記設定値を前記サブ制御手段300へ送信するように形成され、前記サブ制御手段300は、前記メイン制御手段200から送信されてきた前記設定値と、前記推測手段330が推測した前記設定値とが異なる場合には、当該情報を外部へ出力可能としたことを特徴とする。
【００１９】
本発明によれば、メイン制御手段200は、設定値をサブ制御手段300に送信している。
サブ制御手段300では、メイン制御手段200から送信されてきた設定値と、推測手段330が推測した設定値とが異なる場合には、当該情報を外部へ出力可能とした。
【００２０】
仮に何らかの方法で、不正な行為、いわゆるゴト行為（具体的には、例えば、メイン制御手段200の全部又は一部の不正交換等）により、所定役に関して当初に設定された設定値とはかけ離れた頻度で当選が発生しているような場合には、その所定役の当選により推測される設定値と、メイン制御手段200から当初に送信されてきた設定値とが、かけ離れた異なる数値となる。このような場合に、遊技中（すなわち、遊技ホールの遊技が行われている営業時間中）に、当該情報を外部へ出力可能とすることで、例えば所定の報知が行われるような場合には、何らかの不正行為（ゴト行為）が行われているかもしれないという不正行為を早期に発見するための手助けとなり、不正行為の発見を早期且つ容易なものにすることができ、不正行為の抑制を図ることが可能となる。
【００２１】
また、ここで、「当該情報を外部へ出力可能とした」の「当該情報」とは、例えば所定の設定値と推測された設定値とが異なる旨の情報（又は、異なることを意味する情報）であったり、例えば所定の設定値と推測された設定値とが異なることに対応するエラー情報であったりする。
なお、本発明では、「当該情報を外部へ出力」に代えて又は加えて、遊技を中断することや、電源を遮断すること等の構成を加えるようにしてもよい。
【００２２】
また、本発明に係る遊技機10は、さらに、前記レベルが引き上げられると、前記設定値の推測に使用する役の個数が増加可能となるように設定されていることを特徴とする。
【００２３】
本発明によれば、レベルが引き上げられると、設定値の推測に使用する役の個数が増加可能となる。設定値の推測に使用する役の個数が増加すると、設定値の推測の精度がより正確なものとなり、推測する設定値の信頼度を向上させることができる。
【００２４】
また、本発明に係る遊技機10は、さらに、前記推測手段330は、複数の遊技に渡って、前記設定値の推測結果を記憶し、この記憶された前記設定値を参照して、現在の設定値を推測可能としたことを特徴とする。
【００２５】
本発明によれば、推測手段330は、複数の遊技に渡って、設定値の推測結果を記憶し、この記憶された設定値を参照して、現在の設定値を推測可能としている。すなわち、推測した設定値の過去の履歴情報を有していることになる。当該遊技機10を設置する遊技ホールの管理者等が設定値を変更する場合に、所定の規則性を有するような場合（具体的には、例えば、３日毎や、１週間毎等に変更するような場合や、１週間の所定の曜日は、１ヶ月の所定の日に変更するような場合）には、設定値を推測する情報として、有効なものとなり、推測する設定値の信頼度をより向上させることができる。
【００２６】
また、本発明に係る遊技機10は、さらに、前記推測手段330が推測した前記設定値を示唆する情報を外部へ出力可能としたことを特徴とする。
【００２７】
なお、ここで、「設定値を示唆する情報を外部へ出力可能」の「外部へ出力可能」とは、（１）推測した設定値を示唆する情報が、当該遊技機10の表示装置84やスピーカー72等の演出装置70により、外部に向かって、映像や音声により出力されることと、（２）推測した設定値を示唆する情報が、当該遊技機10からハーネスやコネクタ等の伝送路を介して、当該遊技機10が設置されている遊技ホールのホールコンピュータや、データ機器等へデータとして出力されることとの少なくともいずれかが含まれる。すなわち、本発明の「〜外部へ出力可能」には、上述した（１）だけの場合と、（２）だけの場合と、（１）及び（２）の両方の場合とが含まれる。
【００２８】
本発明によれば、設定値を示唆する情報が外部へ出力されると、当該情報が遊技者に向かって遊技機10の外部に表示等されると、遊技者が遊技を継続するか否か等の有効な情報となり、また、当該情報が遊技ホールの管理者等に表示されると、不正行為の発見等に有効な情報となり得る。
【図面の簡単な説明】
【００２９】
【図１】本発明の第１の実施の形態であって、遊技機を示す外観正面図である。
【図２】本発明の第１の実施の形態であって、各リールに設けてある図柄の配置を示す図柄テーブルである。
【図３】本発明の第１の実施の形態であって、遊技機の入力、制御及び出力を示すブロック図である。
【図４】本発明の第１の実施の形態であって、メイン制御手段を示すブロック図である。
【図５】本発明の第１の実施の形態であって、サブ制御手段を示すブロック図である。
【図６】本発明の第１の実施の形態であって、遊技状態の移行を示す図である。
【図７】本発明の第１の実施の形態であって、演出状態の移行を示す図である。
【図８】本発明の第１の実施の形態であって、レベル毎の設定値の推測に使用する役及びその他の情報を示すテーブルである。
【図９】本発明の第１の実施の形態であって、各役の各設定値における役抽選の当選確率を示す抽選テーブルである。
【図１０】本発明の第１の実施の形態であって、遊技回数１０回における各役の当選回数の一例を示すテーブルである。
【図１１】本発明の第１の実施の形態であって、組み合わせ数を算出する式を示す説明図である。
【図１２】本発明の第１の実施の形態であって、確率を算出する式を示す説明図である。
【図１３】本発明の第１の実施の形態であって、重複考慮確率を算出する式を示す説明図である。
【図１４】本発明の第１の実施の形態であって、設定期待度を算出する式を示す説明図である。
【図１５】本発明の第１の実施の形態であって、メイン制御手段における通常遊技中の１回の遊技毎に実行する一般的な制御処理を示すフローチャートである。
【図１６】本発明の第１の実施の形態であって、サブ制御手段における設定値推測処理を示すフローチャートである。
【図１７】本発明の第２の実施の形態であって、レベル毎の設定値の推測に使用する役及びその他の情報を示すテーブルである。
【図１８】本発明の第２の実施の形態であって、ボーナス役と、スイカ役と、ベル役との各設定値における役抽選の当選確率を示す抽選テーブルである。
【図１９】本発明の第２の実施の形態であって、遊技回数１０００回におけるボーナス役と、スイカ役と、ベル役との当選回数と、推測当選確率と、各役の推測設定値との一例を示すテーブルである。
【図２０】本発明の第２の実施の形態であって、（Ａ）はレベル１における各役の役抽選の当選確率、（Ｂ）はレベル１における各役の当選回数、（Ｃ）はレベル１における組み合わせ数、（Ｄ）はレベル１における各設定の確率、重複考慮確率、設定期待度を示すテーブルである。
【図２１】本発明の第２の実施の形態であって、（Ａ）はレベル２における各役の役抽選の当選確率、（Ｂ）はレベル２における各役の当選回数、（Ｃ）はレベル２における組み合わせ数、（Ｄ）はレベル２における各設定の確率、重複考慮確率、設定期待度を示すテーブルである。
【図２２】本発明の第２の実施の形態であって、（Ａ）はレベル３における各役の役抽選の当選確率、（Ｂ）はレベル３における各役の当選回数、（Ｃ）はレベル３における組み合わせ数、（Ｄ）はレベル３における各設定の確率、重複考慮確率、設定期待度を示すテーブルである。
【図２３】本発明の第２の実施の形態であって、サブ制御手段における設定値推測処理を示すフローチャートである。
【図２４】本発明の第４の実施の形態であって、推測設定値と、演出画面との当選確率を示す抽選テーブルである。
【図２５】本発明の第５の実施の形態であって、遊技回数１０００回におけるボーナス役と、スイカ役と、ベル役との当選回数と、推測当選確率と、各役の推測設定値との一例を示すテーブルである。
【発明を実施するための形態】
【００３０】
（第１の実施の形態）
本明細書では、各説明箇所において、方向についての定義等が示されていない場合には、遊技機10の方を向いて位置している（当該遊技機10の前に設置してある椅子に座っている）遊技者から見て、遊技機10から遊技者の手前側に向かう方向を「前」方向とし、その逆方向を「後」方向とする。また、同様に、「左」や「右」等の左右方向及び「上」や「下」等の上下方向も、遊技機10の前に座っている遊技者から見た場合の左方向や右方向、又は上方向や下方向を意味する。同様に、各部材の説明においても、方向についての定義等が示されていない場合には、各部材を、遊技機10の所定位置に固定した場合における遊技者から見た方向を意味する。
【００３１】
本実施の形態に係る遊技機10としてのスロットマシンを、以下、図１及び図３を参照しながら説明する。本実施の形態に係る遊技機10としてのスロットマシンは、前方向に向かって開口する正面開口を有する四角箱状の筐体12と、この筐体12の正面開口を開閉自在に覆う前扉14とを備えている。
【００３２】
前扉14の上部には、薄板樹脂からなる上パネル20を備えている。この上パネル20の略中央には、３個のリール62（正面から向かって左側の左リール64、中央の中リール66、右側の右リール68）の円周上の図柄61を見ることができる透過可能な図柄表示窓部16が形成されている。この図柄表示窓部16は、３個全てのリール62の回転が停止した際には、縦３列横３行に配置した合計９個の図柄61を遊技者に見せるように形成されている。この図柄表示窓部16は、リール62の正面側に設けられて、リール62の回転が停止した際、後述する有効ライン86上に停止している複数の図柄61を視認するためのものである。リール62は、複数の図柄61を図柄表示窓部16を介して変動表示可能なものである。
【００３３】
前記図柄表示窓部16の後方向（奥方向）には、３個のリール駆動モータ65と、この各リール駆動モータ65によってそれぞれ回転させられる合計３個の前記リール62と、前記リール駆動モータ65及び前記リール62を保持するユニットホルダ（図示せず）とを有するリールユニット60が配置されている。また、リールユニット60には、リール62の回転位置が基準となる位置（基準位置）であることを検出するためリール位置センサ63が設けられている。このリール駆動モータ65は、後述するメイン制御手段200から出力されるリール駆動モータ65を駆動するための駆動信号に基づき駆動する。さらに、リールユニット60には、リール62上の図柄61を照らすためのバックランプ67が設けられている。
前記リールユニット60のバックランプ67は、リールユニット60の内部に配置されてＬＥＤを発光させることによりリール62を種々の色の光で照らすためのものである。
【００３４】
前記図柄表示窓部16の下方には、クレジットメダルの貯留枚数を表示するクレジット表示器87と、このクレジット表示器87の左側に配置され、遊技機10から払い出されたメダルの総数を表示する払出枚数表示器88とが設けられている。これらの表示器は、２個の７セグメントＬＥＤ表示器で構成されている。７セグメントＬＥＤ表示器は、１０進法のアラビア数字等の１文字を表現するために、それぞれ個別に点灯・消灯が可能な７つのセグメント（ＬＥＤ）から構成されているものである。２個の７セグメントＬＥＤ表示器を有することにより、クレジット表示器87は２桁の貯留枚数、払出枚数表示器88は２桁の払出枚数が表示可能になっている。
【００３５】
前記前扉14の下部には下パネル22が設けられている。そして、前扉14には下パネル22の上部に位置して前扉14の前方向へ向けて突出する操作部30を備えている。
本実施の形態に係る遊技機10には、遊技開始の条件として投入するためのメダルを後述するメダル投入口38からあらかじめ投入して、最大５０枚までクレジットメダルとして内部に貯留可能なクレジット機能（投入枚数を電子データとして電子的に記憶し管理する機能）を有している。なお、このクレジットメダルとして貯留可能な最大枚数である５０枚を最大クレジットメダル数とする。
前記操作部30の上面右側には、遊技媒体としてのメダルを投入するためのメダル投入口38が設けられている。
【００３６】
筐体12内部であって、前記メダル投入口38の近傍には、メダル投入口38に投入されたメダルが正規のものか否かを選別して、正規のメダルのみをホッパーユニット24に導くメダルセレクタ17が設けられている。このメダルセレクタ17には、メダル投入口38に投入されたメダルを１枚ずつ検出する投入センサ92が設けられている。なお、この投入センサ92は、３つのセレクターセンサ（図示せず）が通路に設けられている。投入されたメダルは、３つのセレクターセンサの順序及び所定の範囲の時間の間隔（タイミング）で検知するように配置されている。
【００３７】
なお、筐体12内部には図示しないメダル通路が設けられており、メダルセレクタ17において非正規のメダルとして排除されたメダルや、ホッパーユニット24から払い出されたメダルが、このメダル通路を通過して後述するメダル払出口28から払い出される。
具体的には、メダルセレクタ17には、特に図示していないが、電磁石を用いたキャンセルコイルの作動により、メダル投入口38から投入されたメダルをホッパーユニット24内に貯留させる通路と、メダル払出口28から後述するメダル受け皿26へ進ませる通路との切り換えが可能に形成されている。これにより、メダル投入口38から投入されたメダルをクレジットメダルとして貯留するか、メダル受け皿26へ払い出すかの切り換えをすることができる。
【００３８】
メダル投入口38の下方には、クレジット機能によりクレジットしたメダルの全てを払い出すための精算スイッチ36が設けられている。
【００３９】
前記操作部30の中央には、操作により対応するリール62の回転を停止させるため、３個のリール62のそれぞれに対応する３個のストップスイッチ50が設けられている。このストップスイッチ50は、左リール64を停止させるための左ストップスイッチＬと、中リール66を停止させるための中ストップスイッチＣと、右リール68を停止させるための右ストップスイッチＲとを有している。すなわち、これらのストップスイッチ50は、複数のリール62それぞれに対応して設けられ、複数のリール62の図柄61の変動表示の開始後、遊技者の操作によりリール62の図柄61の変動表示を個別に停止させるためのものである。
【００４０】
このストップスイッチ50の左側には、メダルの投入又は後述するベットスイッチ32の操作を条件にリール62の回転を開始させるためのスタートスイッチ40が設けられている。すなわち、このスタートスイッチ40は、遊技者の操作によりリール62の図柄61の変動表示を開始させるためのものである。
【００４１】
このスタートスイッチ40の上方には、ベットスイッチ32として、貯留されたクレジットメダルから投入されたメダル数（クレジットされたメダル数）から最大投入枚数（具体的には３枚）に達するまで投入可能なメダル数を減じて３枚のメダル投入に代えるマックスベットスイッチ34と、クレジットしたメダル数から１枚のメダル数を減じて１枚のメダル投入に代えるシングルベットスイッチ35とが設けられている。
【００４２】
マックスベットスイッチ34の右側には、所定の演出において遊技者が操作可能な演出用ボタンスイッチ42が設けられている。
前記前扉14の裏側には、扉開閉用スイッチ19、設定変更スイッチ46、設定表示器89などが配置されている（図３参照）。
【００４３】
扉開閉用スイッチ19は、筐体12側に設置されているものであって、前扉14が閉じているか否かを検知するための扉センサである。この扉開閉用スイッチ19は、前扉14が閉塞している場合に、前扉14の背面と扉開閉用スイッチ19の前面とが近接することで接触センサによりオン状態（ＯＮ状態）となり、前扉14が開放するに従って、前扉14の背面が扉開閉用スイッチ19の前面から離間して接触センサによりオフ状態（ＯＦＦ状態）となる。もちろん、接触センサに限定されるものではなく、光センサや磁気センサ等により前扉14の開閉を検知するようにしてもよい。
設定変更スイッチ46は、後述する電源ユニット43の設定キースイッチ45と共に設定変更を行うためのものである。なお、この設定変更スイッチ46は、前扉14の背面に設けられているが（特に図示せず）、後述するリセットスイッチとしても兼用される。
【００４４】
設定表示器89は、７セグメントの小型のＬＥＤにより、当選確率の後述する設定値を設定する際に、当該設定値を表示するものである。設定表示器89には、当該遊技機10の設定値が表示されるが、外部から視認できないようにすべく、筐体12の内部、詳しくは、前扉14の背面に設けられており、設定値の設定後、その表示は解除される。
【００４５】
前記前扉14の下部に相当する筐体12の内部には、メダルを貯留することができるとともに、メダルを払い出すことができるホッパーユニット24と、各部品に電力を供給するための電源ユニット43とが配置されている（図３参照）。
この電源ユニット43には、電源投入又は電源遮断のための操作が可能な電源スイッチ44と、設定変更処理のための設定キースイッチ45とが設けられている。
【００４６】
このホッパーユニット24には、その駆動によりメダルをメダル払出口28に向けて払い出すホッパーモータ95と、ホッパーユニット24の出口に設けられ、メダル払出口28に払い出されたメダルを１枚ずつ検出する払出センサ94と、ホッパーユニット24のメダルタンクから溢れたメダルを収納するための補助タンクの近傍に設けられ、補助タンク内のメダルが満杯になったことを検出して後述するメイン制御手段200へ信号を出力するオーバーフローセンサ96とが設けられている。
【００４７】
なお、特に図示していないが、払出センサ94は、払出センサＡと、払出センサＢとの２つが所定距離を開けて配置されてある。正常な状態でのメダル通過時のタイミングチャートでは、ホッパーモータ95が駆動中（オン状態）のときに、両センサがオン状態に移行可能になっている。
【００４８】
前記前扉14の下部には、所定の場合にホッパーユニット24からメダルが払い出されるメダル払出口28が形成されている。このメダル払出口28の下方には、メダル払出口28から払い出されたメダルを貯留するため、上方に向かって開口する皿状のメダル受け皿26が形成されている。なお、クレジットされているメダル数が最大クレジットメダル数である５０枚未満の場合は、５０枚に到達するまで、獲得したメダルはメダル払出口28から払い出されずにクレジットメダルの枚数に加算される。
【００４９】
本実施の形態に係る遊技機10は、マックスベットスイッチ34やシングルベットスイッチ35の操作又はメダル投入により所定枚数（具体的には、３枚）のメダルを投入することにより遊技の開始を可能とするものである。そして、スタートスイッチ40の押下操作により、リール62の回転を開始させて遊技が開始されるとともに、複数の役のいずれかに当選か又はハズレかの役抽選が行われる。そして、当該遊技機10は、各リール62に対応するストップスイッチ50の操作タイミング及び役抽選の結果に基づいて、リール62の回転を役抽選の結果に適合するように停止させる。当該遊技機10は、停止時の図柄61の組み合わせによって、当選した役を構成する図柄61の組み合わせが所定の有効なライン（所定の役の図柄61の組み合わせが当該ライン上に揃ったときに所定の利益が付与されるラインのことであり、以下、有効ライン86とする。）上に停止した場合に、入賞等となり、所定枚数のメダルを払い出す等の所定の利益を遊技者に付与する。これにより、１回の遊技が終了するものである。
【００５０】
この有効ライン86は、具体的には３個のリール62にそれぞれ表示されている図柄61のうち図柄表示窓部16から視認可能な図柄61を各リール62につき１個ずつ繋いでできる、複数のリール62の全てを貫くライン（途中で折れ曲がりも可）のうち、入賞等するために有効となる図柄61の組み合わせの並びを規定したラインである。このラインは、規定の賭け数（予め定められた数であって本実施の形態では３）のメダルをベットすることにより有効ライン86になる。本実施の形態の有効ライン86は、左リール64と中リール66と右リール68との中段を結んだ１本のみからなるものである。
前扉14のうち、クレジット表示器87と払出枚数表示器88との間には、現在の演出状態が後述する「許容演出区間」であることを報知する区間報知ランプ79が設けられている。
【００５１】
この区間報知ランプ79は、演出状態が後述する「非許容演出区間」から「許容演出区間」に移行したことを契機にメイン制御手段200により点灯され、演出状態が「許容演出区間」である間は常時点灯されている。そして、区間報知ランプ79は、演出状態が「許容演出区間」から「非許容演出区間」に移行したことを契機にメイン制御手段200により消灯される。
【００５２】
図２に示すように、左リール64、中リール66及び右リール68の表面には、「赤７、青７、バー（ＢＡＲ）、ブランク（ＢＬ）、スイカ（ＷＭ）、チェリー（ＣＨ）、リプレイ１(ＲＰ１）、リプレイ２（ＲＰ２）、ベル１（ＢＥ１）、ベル２（ＢＥ２）」の複数の種々の図柄61が形成されている。
そして、特に図示していないが、これらの図柄の所定の組み合わせが複数種類の役に対応して設けられている。
これらの図柄61は、それぞれの絵柄がプリントされたテープをリール62の外周表面に貼付することで形成されている。なお、図２の図柄61の図柄番号（コマ番号）は、リール62の外周表面に物理的に付されているものではなく、仮想的な番号であって、各図柄61の停止を制御するためのプログラムで特定の図柄61を指定するためのものである。
【００５３】
前記前扉14には、遊技者に役抽選の当選等の種々の情報を音や光や映像等で報知させるための演出装置70が形成されている。この演出装置70は、後述するサブ制御手段300に基づいて演出を行う演出実行手段であって、スピーカー72と、演出用ランプ78と、表示装置84とを備えている。
【００５４】
前記スピーカー72は、前扉14の上部左右に配置された上部スピーカー74と、前扉14の下部左右に配置された下部スピーカー76とを備えている。
【００５５】
前記演出用ランプ78は、前扉14の上部に配置された上部ランプ80と、前扉14の下部の左右に配置された下部ランプ82とを備えている。
【００５６】
前記表示装置84は、その画面に種々の映像を表示するための液晶表示装置である。
【００５７】
図３に示すように、遊技機10の内部には、遊技機10の全体の動作を制御するための制御装置100が形成されている。この制御装置100は、遊技を進行させて遊技状態（遊技の進行）を制御するメイン制御手段200（メイン制御基板や、メイン制御装置ともいう）と、このメイン制御手段200から送信される情報（コマンド）を受けて、遊技の進行に応じた演出を制御し、主に遊技内容に関する情報を遊技者に報知する演出を行うための制御を行うサブ制御手段300（サブ制御基板や、サブ制御装置ともいう）とを備えている。
【００５８】
なお、メイン制御手段200とサブ制御手段300との間は、メイン制御手段200への不正操作を防止するために、メイン制御手段200からサブ制御手段300への一方向の通信により行われ、サブ制御手段300からメイン制御手段200への逆方向の通信は行われていない（すなわち双方向の通信ではない）。メイン制御手段200は、投入センサ92、ベットスイッチ32、スタートスイッチ40、ストップスイッチ50、設定変更スイッチ46、精算スイッチ36、扉開閉用スイッチ19、電源スイッチ44、設定キースイッチ45、リール位置センサ63、払出センサ94、オーバーフローセンサ96の入力を受け付け、役抽選を行い、リールユニット60、ホッパーユニット24、外部集中端子板18、設定表示器89、クレジット表示器87、払出枚数表示器88及び区間報知ランプ79の作動を制御する。サブ制御手段300は、演出用ボタンスイッチ42、メイン制御手段200から信号を入力し、表示装置84等の演出装置70の作動を制御する。サブ制御手段300の出力側には、演出装置70としての表示装置84、スピーカー72、演出用ランプ78、バックランプ67の各パーツが接続されている。
【００５９】
なお、特に図示していないが、メイン制御手段200を有するメイン制御基板と、サブ制御手段300を有するサブ制御基板とは、それぞれ専用の基板ケースの内部に収納されている。具体的には、メイン制御手段200のメイン制御基板は、メイン基板ケースの内部に収納され、サブ制御手段300のサブ制御基板は、サブ基板ケースの内部に収納されている。そして、メイン基板ケースは、筐体12内部の奥側の上部に固定され、サブ基板ケースは、筐体12内部の正面から向かって左側に固定されている。
【００６０】
メイン制御手段200及びサブ制御手段300は、ＣＰＵ、ＲＯＭ、ＲＡＭ、Ｉ／Ｏポート（図示せず）を備えたマイクロコンピュータにより構成される。ＣＰＵは、タイマ割込などの割込機能を持ち、ＲＯＭに記憶されたプログラムを実行して、種々の処理を行う。ＲＯＭは、ＣＰＵが実行するプログラムや各種テーブル等の固定的なデータを記憶し、ＲＡＭは、ＣＰＵがプログラムを実行する際の一時的な記憶領域、例えば遊技機10の状態を記憶するための記憶領域や、役抽選の抽選結果を記憶するための記憶領域として使用される。
【００６１】
本実施の形態に係る遊技機10では、通常に行われる通常遊技が設けられている。この通常遊技よりも再遊技役（リプレイ役）の当選の確率が高く（或いは低く）設定されているリプレイタイム（ＲＴ）遊技が設けられている。さらに、メイン制御手段200では、ボーナス移行役に入賞することにより実行されるボーナス遊技が設けられている（図６参照）。これらの遊技は、メイン制御手段200により制御される。
【００６２】
また、演出状態としてストップスイッチ50の押し順や当選図柄61等を報知することによって役に係る図柄61の組み合わせを有効ライン86上に揃って停止させるためのアシストをするアシストタイム（ＡＴ）状態及びリプレイタイム（ＲＴ）状態からなるアシストリプレイタイム（ＡＲＴ）状態が設けられている。また、通常の演出状態（いわゆる通常演出状態）からＡＲＴ状態へ移行する際には、通常演出状態からＡＲＴ状態に当たっているかもしれないという期待感を持たせるための演出が行われる前兆演出状態へ移行する。この前兆演出状態からＡＲＴ状態への移行が確定しており、リプレイ確率を変動させるための所定の昇格リプレイ役（特に図示せず）の入賞（昇格リプレイ役に係る図柄の組み合わせの停止表示）を待つ状態であるＡＲＴ準備中状態へ移行し、当該昇格リプレイ役の入賞によりＡＲＴ状態へ移行することになる（図７参照）。
また、本実施の形態に係る遊技機10では、演出状態として、操作手順により付与される有利度が異なる所定役において、有利となる操作手順を示唆可能な演出を許容する許容演出区間（前兆演出状態、ＡＲＴ準備中状態、ＡＲＴ状態）と、有利となる操作手順を示唆する演出を許容しない非許容演出区間（通常演出状態、ボーナス状態）とが設けられている（図７参照）。
【００６３】
また、筐体12内部の正面から向かって右側には、外部集中端子板18が設けられている。
外部集中端子板18は、遊技データを遊技機10外部に出力させるものであり、メイン制御手段200と配線される接続端子（コネクタ）や、外部機器（図示省略）と配線される接続端子（コネクタ）が設けられた端子板である。また、外部集中端子板18は、図示しないが、遊技島設備（例えばデータ機器）や遊技ホールのホール管理者が管理するホールコンピュータに接続されている。
なお、外部集中端子板18は、次の情報に関する信号を出力しているものである。
（１）再遊技役（リプレイ役）の当選に関する情報
（２）メダル投入に関する情報
（３）メダル払出に関する情報
（４）ボーナス遊技に関する情報
（５）ＡＴ状態に関する情報
（６）エラーに関する情報
（７）設定値の変更の有無に関する情報
（８）前扉14の開閉状態に関する情報
つまり、小役に関する情報は、外部へ出力されていないものである。
【００６４】
図４に示すように、メイン制御手段200は、役抽選手段210、リール制御手段220、停止図柄判定手段230、払出制御手段240、遊技制御手段250、演出状態制御手段260、設定値選択手段265、抽選値記憶手段270及び送信手段290の各手段を有する。各手段の詳細については後述する。なお、上述した手段（例えば、演出状態制御手段260等）は、メイン制御手段200ではなく、サブ制御手段300が有しても良いし、又、メイン制御手段200とサブ制御手段300との両方に分けて有するようにしても良い。
【００６５】
以上の構成をもって、メイン制御手段200は、役の抽選を行い、リール62の回転及び停止を制御し、リール62が全て停止したときに停止図柄61の判定を行い、遊技の進行を行う手段として機能することとなる。
メイン制御手段200は、遊技を制御するためのものであって、遊技を進行させるためのものである。以下、本実施の形態における遊技について説明する。
【００６６】
規定の賭け数（３枚）が設定されると、１本の有効ライン86（図１参照）が設定される。なお、本実施の形態に係る遊技機10は、規定の賭け数として３が設定されている。賭け数を設定する方法には、メダル投入口38からメダルを投入する方法と、マックスベットスイッチ34又はシングルベットスイッチ35を操作することによってクレジットメダルを賭け数として設定する方法とがある。そして、規定の賭け数（３枚）が設定されていることを条件に、スタートスイッチ40を操作すると、賭け数が確定し、役抽選手段210により、複数の役のいずれかに当選したか又はハズレかの抽選（役抽選）が行われる。また、役抽選とほぼ同時に、前回の遊技でのリール62の回転開始時から所定の時間（本実施の形態では、４．１秒）が経過しているか否かが判定され、所定の時間が経過すると、３個全てのリール62の回転が開始する。
【００６７】
リール62の回転開始後、所定の条件（本実施の形態では、リール62を加速する処理を実行した後、所定のセンサによりリール62の回転位置が基準位置であることを検出すること）が成立すると、ストップスイッチ50の操作が可能な状態（停止操作可能状態）となる。
その後に、３個のストップスイッチ50のうち１個を操作すると、当該ストップスイッチ50に対応したリール62の回転が停止する。そして、３個すべてのストップスイッチ50の操作を終えると、３個すべてのリール62の回転が停止する。
このとき、有効ライン86上に所定の図柄61の組み合わせが揃うと、当該図柄61の組み合わせに対応した処理が行われる。本実施の形態に係る遊技機10は、有効ライン86上に予め定められた図柄61の組み合わせが揃うと遊技者に利益が付与されるように形成されている。
【００６８】
役抽選手段210は、メイン制御手段200が備える手段であり、スタートスイッチ40の操作を契機に、複数の役のいずれかに当選か又はハズレかの抽選（役抽選）を行うためのものである。
後述する抽選値記憶手段270は、役に当選したか否かを決定するための抽選テーブルを、設定値及び遊技状態（通常遊技、ボーナス遊技、ボーナス内部中等）にそれぞれに対応して複数備えており、メイン制御手段200のＲＯＭ上に記憶している。
役抽選手段210は、この後述する抽選値記憶手段270が記憶した予め定めた抽選データと、所定範囲の整数値を繰り返してカウントするループカウンタを有する所定の乱数発生手段（乱数発生回路）が発生した乱数のうちから抽出した乱数とを比較して、当選か否かを判定する。なお、役抽選手段210による役抽選処理は、後述するステップ１３１（図１５参照）において行われる。
【００６９】
役抽選手段210の役抽選に用いる当選確率は、後述する抽選値記憶手段270により、予めプログラムされた範囲内で遊技ホールの管理者により変更可能に形成されている。具体的には、その当選確率を規定するための値である設定値を変更するための筐体12内部の設定キースイッチ45を操作することにより、複数の設定値のうちいずれか１つの特定の設定値を選択することで前記当選確率の変更が可能となる。
【００７０】
本実施の形態では、設定値によって当選確率が異なる「設定差有り」の役と、設定値によって当選確率が異ならない全設定値共通の当選確率となる「設定差無し」の役とが設けてある。
【００７１】
本実施の形態では、許容演出区間への移行抽選や、ＡＴ状態（又はＡＲＴ状態）への移行抽選等の操作手順等の報知に関係する機能の抽選は、全ての設定値において当選確率が同一となる所定の役の当選時に行なわれるように定められ、当該抽選の抽選確率も設定差がないように定められている。
【００７２】
本実施の形態では、役抽選に用いられる当選確率が設定値によって異なる「設定差有り」の役では、原則として設定値の数値が高くなるほど、当選確率が高くなって遊技者に対して有利になり得るように規定されている。
【００７３】
なお、「設定差有り」の役では、設定値の数値が高くなるほど、全ての役の当選確率が必ずしも高くなることに限定されるものではなく、設定値の数値が高くなるほど、一部の役の当選確率は高くなるが、他の一部の役の当選確率は同一であってもよい。さらに、設定値の数値が高くなるほど、他の一部の役の当選確率は、低くなるが、全ての役全体として遊技者の利益を考慮すると遊技者に対して有利となるように設定されているようなものでもよい。
【００７４】
本実施の形態では、後述する推測手段330により設定値を推測するために使用する当選役は、上述した「設定差有り」の役が用いられている。
また、設定値は、本実施の形態では、設定１と設定２との２段階であるが、特にこれに限定されるものではなく、後述するような設定１〜６の６段階や、また、「１・３・６」「２・４・６」「１・６」の様に、複数の段階であれば良いものである。
本実施の形態では、役抽選手段210により抽選される役として、大別すると、小役（メダルの払出しを伴う役）、再遊技役（遊技者所有のメダルを使用することなく次回の遊技を開始可能とする役、いわゆるリプレイ役）、ボーナス移行役（遊技状態の移行を伴う役）が設けられている。
【００７５】
また、本実施の形態では、小役には、ストップスイッチ50の押し順が予め定められた順番で操作された場合に入賞となるＡＴ役が含まれ、当該予め定められた順番で操作されない場合はＡＴ役こぼし図柄が停止表示される。
【００７６】
また、再遊技役（リプレイ役）には、ストップスイッチ50の押し順が予め定められた順番で操作された場合に入賞となる押し順リプレイ役（図示せず）が含まれ、所定の遊技状態において当該押し順リプレイ（図示せず）が当選し当該予め定められた順番で操作された場合に、ＲＴ２移行図柄（先の昇格リプレイ役に係る図柄）が停止表示され、当該予め定められた順番で操作されない場合は転落リプレイ図柄（図示せず）が停止表示される。
さらに、具体的に説明すると、特に図示していないが、ＡＴ状態への移行に係るＡＴ抽選役として、チェリー役が設けられている。また、通常リプレイ役と、昇格リプレイ役と、転落リプレイ役とが設けられている。
【００７７】
昇格リプレイ役は、昇格リプレイ図柄（又は、ＲＴ２移行図柄）が停止表示されることで成立する。転落リプレイ役は、転落リプレイ図柄（又は、ＲＴ１移行図柄）が停止表示されることで成立する。
【００７８】
また、本実施の形態では、役抽選の結果として、通常リプレイ役と昇格リプレイ役とが同時に当選している「昇格リプレイ」が得られるように形成されている。また、役抽選の結果として、通常リプレイ役と転落リプレイ役とが同時に当選している「転落リプレイ」が得られるように形成されている。「昇格リプレイ」は、ＲＴ１のときに抽選結果として得られ、ＲＴ０・ＲＴ２のときには抽選結果として得られないように形成されている。
「転落リプレイ」は、ＲＴ２のときに抽選結果として得られ、ＲＴ０・ＲＴ１のときには抽選結果として得られないように形成されている。
【００７９】
抽選結果が「昇格リプレイ」である場合、押し順によって、通常リプレイ役か、昇格リプレイ役が、成立するように形成され、昇格リプレイ役が成立した場合には、ＲＴ２へ移行するように形成されている。
また、抽選結果が「転落リプレイ」である場合、押し順によって、通常リプレイ役か、転落リプレイ役が、成立するように形成され、転落リプレイ役が成立した場合には、ＲＴ１へ移行するように形成されている。
【００８０】
リール制御手段220は、メイン制御手段200が備える手段であり、各リール62の回転を停止させるためのものである。リール制御手段220は、役抽選手段210の抽選結果と、各ストップスイッチ50が操作されたときの対応するリール62の回転位置とに基づいて、各リール62の回転を停止させる。なお、リール制御手段220は、必要に応じて各ストップスイッチ50が停止操作されるときの順番（押し順）が所定の条件に適合しているか否かも停止させる条件にする場合がある。リール制御手段220による処理は、後述するステップ１３５（図１５参照）において行われる。
【００８１】
停止図柄判定手段230は、メイン制御手段200が備える手段であり、全てのリール62が停止した際における有効ライン86上の図柄61の組み合わせを記憶するとともに入賞等の判定をするためのものである。なお、停止図柄判定手段230による処理は、後述するステップ１３７（図１５参照）において行われる。
【００８２】
払出制御手段240は、停止図柄判定手段230の判定結果に基づいて、メダル払出等の所定の処理を行うためのものである。払出制御手段240は、停止図柄判定手段230の判定の結果、小役が入賞していると判定されるとメダルの払出しを行う。なお、払出制御手段240による処理は、後述するステップ１３７（図１５参照）において行われる。
遊技制御手段250は、遊技状態を制御するものである。
具体的には、遊技制御手段250は、図４に示すように、大別すると、通常遊技制御手段251、ＲＴ制御手段252、ボーナス遊技制御手段253及びボーナス内部中制御手段254の各手段を有する。
【００８３】
通常遊技制御手段251は、通常遊技の進行を制御するものである。ここで、通常遊技は、後述するＲＴ制御手段252によるＲＴ遊技（リプレイタイム遊技）や、ボーナス遊技制御手段253によるボーナス遊技や、ボーナス内部中制御手段254によるボーナス内部中遊技以外の遊技状態をいい、ＲＴ０及びＲＴ１を含む（図６参照）。
【００８４】
ＲＴ制御手段252は、ＲＴ遊技の進行を制御するものである。ここで、ＲＴ遊技は、ＲＴ２を含む（図６参照）。
【００８５】
ボーナス遊技制御手段253は、ボーナス遊技を制御するものである（図６参照）。
ボーナス遊技は、ボーナス内部中にボーナス移行役の図柄を有効ライン86上に揃えることで移行し、いわゆるＲＢが連続作動し、所定の枚数、本実施の形態では、２００枚を超えるメダルの払出しで終了し、ＲＴ０に移行する。
ボーナス内部中制御手段254は、ボーナス内部中遊技を制御するものである。このボーナス内部中遊技は、ボーナス移行役に当選し当該ボーナス移行役に対応した図柄61を有効ライン86上に停止表示できなかった場合に移行する。そして、このボーナス内部中にボーナス移行役の図柄を有効ライン86に揃えることで終了する（ボーナス遊技へ移行する）ものである。
【００８６】
演出状態制御手段260は、演出状態を制御するためのものである。演出状態には、大別して、通常演出状態と、前兆演出状態と、ＡＲＴ準備中状態と、ＡＲＴ状態と、ボーナス状態（ボーナス中遊技及びボーナス内部中遊技）とがある（図７参照）。
【００８７】
通常演出状態は、停止操作順番の報知を許容しない状態（非許容演出区間）であり、ボーナス状態以外の通常の演出状態（いわゆる通常演出状態）である。
なお、非許容演出区間のボーナス状態（ボーナス遊技及びボーナス内部中遊技）を除いた通常演出状態の遊技では、役抽選において、予め定めた所定役（本実施形態では、チェリー）に当選した場合は、許容演出区間への移行抽選が行われるとともに、ＡＲＴ状態への移行抽選が行われる。この移行抽選の当選確率は、当該所定役毎に定められており、一切変動しないように形成されている。また、この移行抽選に関しては、規定数や設定値によって種々の処理が異なることがないように形成されている。具体的には、役抽選の結果、所定のレア役に当選したときに予め定めた所定の当選確率により移行抽選が行われるものである。もちろん、当該移行抽選は、レア役に限定されることなく、例えば全ての役の役抽選において、所定の当選確率で移行抽選を行うようにしてもよい。
【００８８】
前兆演出状態は、通常演出状態で許容演出区間への移行抽選に当選すると移行する状態であり、ＡＲＴ状態への移行に当たっているかもしれないという期待感を持たせるための演出が行われる。
なお、この前兆演出状態は、チェリー等の移行抽選役に当選し、許容演出区間への移行には当選したが、ＡＲＴ状態への移行には非当選である場合に、ＡＲＴに当選している可能性を示唆するガセ前兆演出と、許容演出区間への移行に当選、且つ、ＡＲＴ状態への移行に当選した場合に、ＡＲＴ状態への移行に当選している可能性を示唆する本前兆演出とを備えている。
【００８９】
この演出状態制御手段260は、通常演出状態において、チェリーなどの移行抽選役に当選し、許容演出区間へ移行するか否かの抽選を行って、当該抽選に当選し、更に、ＡＲＴ状態へ移行するか否かの抽選を行って、当該抽選に当選することでＡＲＴ状態へ移行可能となるようにしているが、ＡＲＴ状態への移行の条件は、もちろん当該内容に限定されるものではない。例えば、チェリーなどの移行抽選役に当選すれば、許容演出区間移行に係る抽選の結果にかかわらず（許容演出区間移行に係る抽選を経なくても）許容演出区間に移行することが確定し、ＡＲＴ状態へ移行するかの抽選を行ってもよいし、また、許容演出区間に、いわゆるチャンスゾーンを設け、チェリーなどの所定役に当選、若しくは当該当選に基づく移行抽選に当選すれば、チャンスゾーンに移行することが確定し、チャンスゾーンの所定の遊技期間の間に、所定役に複数回当選することや、所定のポイント抽選を行い、ポイント数の合計が所定の閾値に到達することにより、ＡＲＴ状態へ移行できるようにしてもよい。
【００９０】
ＡＲＴ準備中状態は、前兆演出状態から移行するものであり、通常演出状態で許容演出区間への移行抽選に当選、且つＡＲＴ移行抽選に当選した場合に移行する状態で、リプレイ確率を変動させるための昇格リプレイ役（図示せず）の入賞を待つ状態である。このＡＲＴ準備中状態では、前記昇格リプレイ役の入賞によりＡＲＴ状態へ移行する。
ＡＲＴ状態は、停止操作順番を報知する、いわゆるアシストを行うＡＴ状態及び再遊技の当選確率が高いＲＴ状態からなるアシストリプレイタイム状態である。
【００９１】
本実施の形態に係る遊技機10では、通常演出状態よりも多くの特典（利益）を付与可能な特別状態としてのアシストタイム（ＡＴ）状態を備えている。ＡＴ状態とは、ストップスイッチ50の停止操作順番や当選図柄等を報知することによって役に係る図柄61の組み合わせを有効ライン86上に揃って停止させるためのアシストが可能な状態である。
【００９２】
ＡＴ状態は、演出状態が当該ＡＴ状態に移行すると、当選した小役の押し順が報知される遊技が開始され、報知された押し順に従ってストップスイッチ50を操作することで、当選した小役の図柄の組み合わせを停止表示させることができる。このため、成立した小役に対応する所定枚数のメダルが払出される。また、ＡＴ状態は、本実施の形態では、メイン制御手段200側で制御される。「ＡＲＴ」状態は、「ＲＴ遊技」で、且つ「ＡＴ遊技」の遊技状態をいう。
【００９３】
また、ＡＲＴ状態は、本実施の形態では、初期ゲーム数として５０ゲームの遊技が可能に設定されており、実施したゲーム数が当該５０ゲームに到達した場合に、「ＡＲＴ状態」を終了するように設定されている。もちろん、ＡＲＴ状態の終了条件は、これに限定されるものではなく、所定の払出枚数に到達した場合に終了する等、他の種々の条件や、それらの組み合わせにしてもよいものである。
また、ＡＲＴ状態は、予め所定の終了条件が定められていても、さらに所定の契機で所定の上乗せ抽選等を実施することにより、終了遊技回数の上乗せ等を決定することで、終了条件の変更が可能となるようにしてもよい。
【００９４】
設定値選択手段265は、予め設定された複数種類の設定値から外部操作（具体的には、設定キースイッチ45や、設定変更スイッチ46の所定の手順による操作）により特定の設定値を選択可能なものである。
【００９５】
具体的には、設定値選択手段265は、扉センサ（扉開閉用スイッチ19）がＯＮ状態（前扉14が閉状態）でない、すなわち前扉14が開放状態であると判定され、さらに、設定変更処理用の開始スイッチ（具体的には、設定キースイッチ45）が操作されてＯＮ状態であると判定された場合、設定変更処理が可能な状態へ移行する。設定値選択手段265は、不正対策として安全性を高めるために、前扉14が開放状態であって、且つ、設定キースイッチ45がＯＮ状態でないと、設定変更処理に移行しないようになっている。
【００９６】
さらに、設定値選択手段265は、この設定変更処理が可能な状態において、設定変更スイッチ46がオン状態に操作されると、設定値を更新する。設定値の更新は、具体的には、１が加算され、設定値の上限では、設定値１へ移行する。この設定値の更新は繰り返し操作することにより、さらに次の数値の設定値への移行が繰り返される。
【００９７】
この設定変更処理が可能な状態において、設定値選択手段265は、スタートスイッチ40のオン状態が検知されたか否かを判定し、検知されたと判定された場合に、さらに、設定キースイッチ45がオフ状態になることで、設定値を確定する。
ここで、設定値の変更作業が可能となる設定変更状態について以下に説明する。
一般的に、前扉14を開放した遊技ホールのホール管理者が設定値の変更に係る作業を行う。
【００９８】
設定キースイッチ45は、オン状態（ＯＮ位置）と、オフ状態（ＯＦＦ位置）と、へ切り替え可能に形成されている。
【００９９】
電源スイッチ44をオン状態（電源投入）にしたときに、設定キースイッチ45がオン状態（ＯＮ位置）にあると、設定値の変更処理（設定変更処理）が可能な状態（設定変更状態）へ移行するように形成されている。設定キースイッチ45をオフ状態（ＯＦＦ位置）へ戻すことで、設定変更状態が解除されて設定値の変更が不能となり、通常の遊技が実行可能となる。設定した設定値は、電源スイッチをＯＦＦ（電源遮断）にしても、バックアップ機能（電源）によって、記憶保持されるように形成されている。この記憶保持された設定値は、電源スイッチ44をオン状態（ＯＮ位置）にするときに読み出され、設定変更状態へ移行しなければ、そのまま読み出した設定値が採用されるように形成されている。設定変更状態へ移行したときには、読み出した設定値が、設定変更作業時の初期値となるものである。
【０１００】
抽選値記憶手段270は、役抽選に用いるための抽選値情報（役抽選の当選確率）を複数種類の設定値毎に記憶するためのものである。さらに、抽選値記憶手段270は、設定値毎に、異なる遊技状態毎の抽選値情報（役抽選の当選確率）を記憶している。この異なる遊技状態とは、通常遊技や、ボーナス遊技や、ボーナス内部中等の各遊技状態を意味する。
【０１０１】
送信手段290は、サブ制御手段300へ信号（コマンド）を送信するためのものである。
送信手段290は、複数種類の設定値の中から選択された特定の設定値に対応する抽選確率を用いて実行された役抽選の抽選結果に関する情報をサブ制御手段300の受信手段310へ送信する。
また、ＡＴ状態のときに役抽選手段210によりＡＴ役に当選したときに、送信手段290は、ＡＴ役に対応する有利な操作手順を特定可能な操作手順特定コマンド（ＡＴ役の停止操作順番に関するコマンド）を受信手段310へ送信する。
なお、本実施の形態では、メイン制御手段200にて設定されている具体的な設定値を特定するための情報は、例えば送信経路（ハーネス等の伝送路）の途中で設定値の情報を抜き取るような不正行為（いわゆるゴト行為）を防止するため、サブ制御手段300へ送信していない。
【０１０２】
サブ制御手段300は、図５に示すように、受信手段310、演出実行制御手段（演出手段）320、計数手段340、推測手段330、レベルアップ抽選手段350、レベルアップ抽選契機決定手段370、役決定手段360及び推測用抽選値記憶手段380の各手段を有する。各手段の詳細については後述する。
【０１０３】
以上の構成をもって、サブ制御手段300は、メイン制御手段200からの信号を受けて、遊技の進行に伴う演出を行うものである。
【０１０４】
具体的には、サブ制御手段300は、演出用ランプ78を駆動するためのＬＥＤ駆動回路（図示せず）に対してＬＥＤの点灯や消灯を規定するデータを出力したり、スピーカー72から音を出力するための音声出力回路（図示せず）に対して出力する音声を規定するデータを出力したり、表示装置84を駆動するための液晶制御基板（図示せず）に対して出力する映像データを規定するデータを出力したりする。
【０１０５】
さらに、サブ制御手段300は、推測手段330が推測した設定値（いわゆる「推測設定値」）を示唆する情報を演出装置70、特に表示装置84に出力する。
【０１０６】
受信手段310は、送信手段290から送信された信号（コマンド）を受信するものである。
【０１０７】
演出実行制御手段320は、表示装置84により行われる表示演出を実行するためのものである。
演出実行制御手段320は、役抽選の結果に基づく当選役に応じた演出や、通常演出状態、前兆演出状態、ＡＲＴ準備中状態、ＡＲＴ状態、ボーナス状態等の各演出状態に応じた演出や、停止操作順番を報知するための演出等を行う。これらの演出は、それぞれ複数設けられており、演出実行制御手段320は、抽選により所定の演出を選択するとともに選択した演出を演出装置70を介して実行する。
【０１０８】
ＡＴ状態のときに役抽選手段210により特定役（ＡＴ役）に当選したときに、演出実行制御手段320は、受信手段310により受信した操作手順特定コマンド（ＡＴ役の停止操作順番に関するコマンド）から当該有利な操作手順を特定するとともに、表示装置84により当該有利な操作手順が特定可能となる演出を行う操作手順演出実行状態とする。
【０１０９】
さらに、演出実行制御手段320は、後述する推測手段330が推測した推測設定値に基づいて当該推測設定値を示唆する示唆演出を実行する演出手段としての役割を有している。
演出実行制御手段320は、後述する推測手段330が推測した設定値を示唆する情報、具体的には、推測設定値を示唆する画面を所定の契機に表示装置84に表示する。
この「所定の契機」とは、本実施の形態では、通常演出状態中である。さらに、具体的には、所定遊技毎や、所定役の当選や入賞を契機としてや、所定の演出抽選に当選した場合等に設定されている。通常演出状態では、前述の通り、操作手順の報知が行われないとともに、移行抽選役の当選を待つだけという遊技者にとっては、興趣に乏しい状態であるため、遊技（演出）に変化をつけ、遊技者に興味を持たせるために通常演出状態としている。なお、この所定の契機は、これらに限定されるものではなく、これらの全部又は一部としてもよく、また、その他の異なる契機に設定してもよいものである。
なお、ここで、演出実行制御手段320は、推測手段330が推測した設定値を示唆する情報、具体的には、推測設定値を示唆する画面を遊技が行われていない待機状態において、いわゆるアトラクト画面として、表示装置84に表示するようにしてもよい。
【０１１０】
計数手段340は、役の当選回数を個別に計数するためのものである。具体的には、計数手段340は、当該遊技機10の電源投入後から電源が切られる（オフ状態になる）までに実施された遊技の遊技回数と、各役の当選回数とを役毎に個別に計数して記憶しているものである。
【０１１１】
本実施の形態では、計数手段340は、遊技回数と、役Ａの当選回数と、役Ｂの当選回数と、その他の当選回数とを、当該遊技機10の電源投入後から計数を開始し、その後、電源がオフ状態になるまで計数を継続する。なお、電源がオフ状態になることで当該データは０に初期化される。
【０１１２】
具体的には、例えば、電源投入後の遊技の開始から通常演出状態１０回の遊技を実行した後の当選回数が、例えば、役Ａが５回、役Ｂが２回、その他（ハズレを含む）が３回のように記憶しているものである（図１０参照）。
【０１１３】
計数手段340が計数する役の当選回数は、当該遊技機10の電源投入から電源が切られるまで、遊技状態等が変更しても初期化されることなく、継続して計数（カウント）される。もちろん、計数開始と、初期化に伴う計数終了とは、これに限定されるものではなく、リセットスイッチが操作された場合、計数した遊技回数、当選回数をリセットし、新たに計数を行うようにしてもよいし、設定変更がされた場合、計数した遊技回数、当選回数をリセットし、新たに計数を行うようにしてもよいし、電源が切られても（オフ状態になっても）、当該計数値の記憶を維持することができるように設定して、複数の営業日に渡って計数が可能となるようにしてもよいものである。さらに、前日に計数した計数値に基づいて、翌日の電源投入後のアトラクト画面として、それらの設定値を示唆する情報を表示するようにしてもよい。
なお、ここで、本実施の形態では、許容演出区間から非許容演出区間に移行する際、操作手順等の報知に関係する機能に係る全てのデータ（例えば、ＡＲＴ状態の遊技回数等）は、公平性を担保するため、初期化されるように設定されているが、この計数手段340で計数する役の当選回数は、操作手順等の報知に関係する機能に係るものではないので当該初期化の範囲には含まれてなく、当該移行の際、初期化されることはない。
【０１１４】
推測手段330は、後述する役決定手段360で決定した役に対応する計数手段340の計数結果に基づき、設定値を推測するためのものである。
【０１１５】
設定値を推測するための計算方法は、確率や統計等の各種計算方法で計算が可能であるが、図８〜図１４を用いて、本実施の形態での推測手段330により、簡単なパターンの事例によって、役決定手段360で決定した役に対応する計数手段340の計数結果に基づき、組み合わせ（combination）等を用いた設定値を推測するための計算方法を以下に説明する。
【０１１６】
図８に示すように、本実施の形態では、前記設定値を推測する精度として、「レベル」を設定している。
ここで、「レベル」とは、レベル１、２、３の３つのレベルから成立するものである（図８参照）。「レベル」の初期値は、レベル１に設定されてあり、電源投入によりレベル１に初期化されるように形成されている。
【０１１７】
図８に示すように、レベル１では、設定値を推測するために使用する役として、役Ａが設定されている。レベル２では、設定値を推測するために使用する役として、役Ａ及び役Ｂが設定されている。レベル３では、設定値を推測するために使用する役として、役Ａ及び役Ｂが用いられるとともに、加えて設定値の履歴情報が設定値の推測に用いられている。
なお、後述するレベルアップ抽選は、レベルを１だけ引き上げるか否かの抽選が行われるものであって、所定の当選確率（具体的には、１／２）の抽選により、レベルを現在のレベルから「＋１」だけ引き上げたレベルにするか否かの抽選が行われる。
【０１１８】
本実施の形態では、各設定値の期待度を算出することで、推測設定値を決定することができるようにしたものである。
【０１１９】
以下に、具体的に説明する。先ず、最初に設定値は、設定１と、設定２との２種類であり、役として、役Ａ、役Ｂ、その他の３種類で説明する。ここで、「その他」は、その他の役に相当し、例えば、役Ｃのような１種類の役でもよく、また、残りの複数の役Ｃ、Ｄ、Ｅ・・・等の複数の役であっても、各役の当選確率等を１種類の役として換算して用いているものである。
【０１２０】
図９に示すように、設定として、設定１と、設定２との２種類があり、役としては、役Ａと、役Ｂと、その他との３種類の役があり、各設定での当選確率が示されている。
【０１２１】
図１０に示すように、所定の遊技回数の経過により、各当選役の当選回数が、役Ａが５回、役Ｂが２回、その他が３回になったとする（なお、合計の全遊技回数は１０回である）。
【０１２２】
図１１に示すように、これらの当選役の当選回数から組み合わせ数を算出する。組み合わせ数とは、順列で数え上げて重複分を考慮した数値となる。例えば、異なるｎ個の中からｒ個を選ぶ組み合わせは、全部でｎＣｒ＝ｎ！／（（ｎ−ｒ）！×ｒ！）となる。なお、ここで、「ｎ！」は、ｎ×（ｎ−１）×（ｎ−２）×・・・×３×２×１であって、ｎの階乗を意味する。
今回の場合は、図１１に示すように、
組み合わせ数＝ｎ１Ｃｒ１×ｎ２Ｃｒ２となり、組み合わせ数は、２５２０となる。
なお、ｎ１＝役Ａの個数（当選回数）＋役Ｂの個数（当選回数）＋その他の個数（ハズレも含む）
ｒ１＝役Ａの個数（当選回数）
ｎ２＝役Ｂの個数（当選回数）＋その他の個数（ハズレも含む）
ｒ２＝役Ｂの個数（当選回数）
【０１２３】
図１２に示すように、各設定において、当選役が当選回数分だけ当選する確率を算出する。ここでの確率は、組み合わせ数を考慮しない確率となる。ここ、確率ｐは、図１２の式１により算出される。なお、ｐ１は役Ａの当選確率、ｐ２は役Ｂの当選確率、ｐ３はその他の役の当選確率、ｍ１は役Ａの当選回数、ｍ２は役Ｂの当選回数、ｍ３はその他の役の当選回数となる。
【０１２４】
図１２に示す式１に各数値を代入すると、図１２に示すように、設定１では、確率ｐは１／５３７４７．７１となり、設定２では、１／６２２０８．００となる。
次に、上述した組み合わせ数２５２０と、上述した確率ｐとの積を算出すると、図１３に示すように、設定１では、重複を考慮した確率としての重複考慮確率が１／２１．３３となり、設定２では、１／２４．６９となる。
【０１２５】
次に、これらの数値に基づいて、設定値の期待度である設定期待度を算出する。
各設定の期待度である設定期待度は、各設定における重複考慮確率ｑを、全設定における重複考慮確率の和で割った比率となる。
すなわち、各設定の設定期待度＝ｑ１／（ｑ１＋ｑ２＋・・・＋ｑｎ）となるものである。なお、ｑ１〜ｑｎは、各設定の重複考慮確率である。
したがって、今回の場合は、
設定１の設定期待度＝ｑ１／（ｑ１＋ｑ２）
設定２の設定期待度＝ｑ２／（ｑ１＋ｑ２）
となる。なお、ｑ１は設定１の重複考慮確率であり、ｑ２は設定２の重複考慮確率である。
その計算結果は、図１４に示すように、設定１の設定期待度は、５３．６５％となり、設定２の設定期待度は、４６．３５％となるものである。
【０１２６】
本実施の形態では、上述した演算を全て推測手段330が実施することになる。
本実施の形態では、結論としては、各設定の当選確率と、遊技結果とから、設定１の設定期待度が５３．６５％となって、設定２の４６．３５％よりも高く、設定１の可能性がやや高いということになる。したがって、本実施の形態では、推測手段330は、推測設定値を１と決定するものである。
【０１２７】
本実施の形態では、上述したような計算手法により、設定期待度という数値によって、推測設定値を判定することができ、より推測設定値の可能性を数値によって、より客観的に判断するものである。
【０１２８】
本実施の形態では、メイン制御手段200の設定値選択手段265により遊技ホールの管理者等により設定値の変更が行われた場合、現在の設定値がいずれであるかの具体的な情報は、メイン制御手段200からサブ制御手段300へは送信されない。しかし、本実施の形態では、設定値選択手段265により設定値が変更されたか否かの変更の有無の情報だけは、メイン制御手段200からサブ制御手段300へ送信されるように形成されている。すなわち、メイン制御手段200は、設定値の変更に伴い、設定値の変更の有無をサブ制御手段300に送信するように形成されている。サブ制御手段300の推測手段330は、メイン制御手段200から送信されてきた設定値の変更の有無の情報を設定値の履歴情報として記憶している。また、推測手段330が推測した推測設定値の履歴も、同様に推測設定値の履歴情報として記憶している。推測手段330は、レベル３において、設定値の変更の有無の情報等の履歴情報を参照して、設定値を推測することができるように形成されている（図８参照）。
【０１２９】
なお、これらの履歴情報は、電源オフの状態でも所定の期間だけは、記憶が保存されるように形成されているが、もちろん、電源オフの状態で消失又は初期化されるようにしてもよい。
【０１３０】
ここで、「履歴情報を反映させる」とは、昨日は、過去数日の推測設定値の履歴情報をデータとして、記憶させておき、当該履歴情報を反映させるものである。具体的には、例えば、３日前、２日前、１日前の推測設定値が全て「設定２」であり、今回の推測設定値として、「設定１」又は「設定２」の可能性がいずれもあるような場合には、推測設定値を「設定２」に決定するものである。
【０１３１】
さらに、「履歴情報を反映させる」には、過去数日の推測設定値の履歴情報から、設定変更頻度を記憶しておき、この設定変更頻度の情報を推測設定値の決定に反映させるものである。具体的には、例えば、設定変更頻度が４日おきに実施されているような傾向がある場合には、設定変更頻度を４日に設定し、設定変更頻度の期間内であれば、昨日の推測設定値がそのまま維持されている可能性が高く、設定変更頻度の期間に到達した場合には、昨日の推測設定値から変更される可能性が高くなる。例えば、推測設定値が「設定１」と「設定２」との両方の可能性が高い場合、昨日までの推測設定値が「設定１」であり、設定変更頻度の期間内であるような場合には、未だ設定変更が実施されておらず、昨日までの推測設定値が維持されている可能性が高いため、推測設定値を「設定１」とするものである。一方、このときに、設定変更頻度の期間が終了し、設定変更されている可能性が高いような場合には、設定変更が実施されている可能性が高いため、推測設定値を「設定２」とするものである。
【０１３２】
なお、ここで、本実施の形態では、上述したような計算方法により、推測設定値を決定しているが、特にこれに限定されるものではなく、例えば、各設定における設定期待度を全て表示装置84に表示させて、遊技者に判断させるようにしてもよいものである。また、履歴情報の反映も、遊技機内部のプログラムにより反映させずに、当該履歴情報を表示装置84に表示させて、複数の推測設定値に基づいて、遊技者自らが当該履歴情報を判断して、推測設定値をそれらの中から推測することができるようにしてもよい。
【０１３３】
推測手段330は、計数手段340が計数している所定役の当選回数が予め定めた値、具体的には、１０未満の場合には、設定値を推測するためのデータ数が不足しており、推測設定値の精度が低く、判定不能として処理している。この場合には、表示装置84には、当該推測設定値は、「参考値」として表示されるようにしている。
【０１３４】
レベルアップ抽選手段350は、「所定の契機」で前記設定値を推測する精度としてのレベルを引き上げ可能なレベルアップ抽選を行うためのものである（図８参照）。
ここで、「所定の契機」とは、具体的には、後述するレベルアップ抽選契機決定手段370により決定された契機である。
【０１３５】
また、ここで、「レベル」とは、レベル１、２、３の３つのレベルから成立するものである。「レベル」の初期値は、レベル１に設定されてあり、電源投入によりレベル１に初期化されるように形成されている。このレベルアップ抽選は、レベルを１だけ引き上げるか否かの抽選が行われるものであって、当選確率は、１／２に設定されている。
【０１３６】
本実施の形態では、現在のレベルを「＋１」だけ引き上げるものである（図８点線白抜き矢印参照）。もちろん、レベルアップは、現在のレベルを「＋１」だけ引き上げるものに限定されるものではなく、例えば現在のレベルを「＋２」引き上げるものや、「＋３」引き上げるものを有してもよいものである（図８の点線白抜き矢印参照）。その際、当選により引き上げるレベルの上限を超えるような場合は、当該レベルの上限となるものであって、例えば、レベル２において、「＋３」に当選した場合であっても、上限のレベルであるレベル３となるものである。
【０１３７】
なお、本実施の形態では、現在のレベルを引き上げるレベルアップだけを対象としているが、このレベルアップに加えて、或いは、このレベルアップに代えて、特定の契機（例えば所定のレア役の当選契機等）に現在のレベルを引き下げるレベルダウンを実施するようにしてもよい（図８の黒塗り矢印参照）。その際にも、現在のレベルを「−１」だけ引き下げるレベルにするか否かのレベルダウン抽選が、レベルアップ抽選と同様の手法により行われる。また、このレベルダウン抽選でも、レベルダウンは、現在のレベルを「−１」だけ引き下げるものに限定されるものではなく、例えば現在のレベルを「−２」引き下げるものや、「−３」引き下げるものを有してもよいものである（図８の黒塗り矢印参照）。その際、当選により引き下げるレベルの上限を超えるような場合は、当該レベルの下限となるものであって、例えば、レベル３において、「−３」に当選した場合であっても、下限のレベルであるレベル１となるものである。
【０１３８】
レベルアップ抽選契機決定手段370は、レベルアップ抽選手段350がレベルアップ抽選を行う所定の契機を決定するものである。具体的には、レベルアップ抽選契機決定手段370は、通常演出状態の遊技回数をカウントし、所定の遊技回数、具体的には、遊技回数５０回毎に、レベルアップ抽選を実施する「所定の契機」に達したことを、レベルアップ抽選手段350に伝達するためのものである。なお、遊技回数５０回は、これに限定されるものではなく、当該回数以上、又は、当該回数未満の他の遊技回数に設定してもよく、また、抽選等により、当該遊技回数を変動させるように形成してもよい。
【０１３９】
レベルアップ抽選契機決定手段370は、通常演出状態の終了により、上述した遊技回数のカウントを終了して、カウントした数値を０に初期化する。レベルアップ抽選は、非許容演出区間中の通常演出状態のみ実施されるように設定されている。本実施の形態では、ボーナス状態では、レベルアップ抽選契機決定手段370による上述した遊技回数のカウントは実施しておらず、レベルアップ抽選も行っていないが、特にこれに限定されずに、実施するようにしてもよい。
【０１４０】
なお、レベルアップ抽選契機決定手段370は、「所定の契機」を上述したような所定の遊技回数の経過（消化）に限定されるものではなく、他の条件でもよい、例えば、予め定めた所定役の当選や、入賞等のタイミングを「所定の契機」に設定してもよい。
【０１４１】
本実施の形態では、レベルアップ抽選及びその後の推測設定値の表示等を行う「所定の契機」を通常演出状態に設定しているが、レベルアップ抽選や、推測設定値の表示は、通常演出状態に限定されるものではなく、他の状態に設定してもよい。例えば、通常演出状態等の演出状態に限定されずに、電源投入から計数手段340により遊技回数や当選回数を計数して、演出状態に関係なく、レベルアップ抽選や、推測設定値の表示等を行うように形成してもよいものである。
【０１４２】
役決定手段360は、レベルに応じて、設定値の推測に使用する役を決定するためのものである（図８参照）。
本実施の形態では、レベルアップ抽選契機決定手段370が決定した「所定の契機」に、レベルアップ抽選手段350がレベルアップ抽選を行い、そのレベルアップ抽選後のレベルに基づいて、設定値の推測に使用する役を決定する。具体的には、レベルアップ抽選後のレベルがレベル１である場合には、設定値の推測に使用する役として役Ａの１つを決定し、レベルが２である場合には、設定値の推測に使用する役として役Ａと、レア役としての役Ｂとの２つを決定し、レベルが３である場合には、設定値の推測に使用する役として、役Ａと、レア役としての役Ｂとの２つに加えて、設定値の履歴情報との３つを決定する（図８参照）。
【０１４３】
推測用抽選値記憶手段380は、設定値の推測用として、設定値の推測に用いる役の各設定値の抽選値（役抽選の当選確率）を予め記憶しているものである。具体的には、役Ａと、レア役としての役Ｂと、その他の役との３つの役の設定値１、２の当選確率を予め記憶している。
【０１４４】
なお、記憶する役はこれに限定されるものではなく、設定値の推測に用いる役が他の役であれば、当該他の役の役抽選の当選確率を記憶する。また、本実施の形態では、推測用抽選値記憶手段380は、予め、これらの当選確率を記憶しているものであるが、これに限定されるものではなく、当初から記憶せずに、必要なときだけ、必要なデータを、メイン制御手段200の抽選値記憶手段から送信されるようにしてもよいものである。例えば、役Ａにより設定値を推測するような場合には、その際に役Ａの当選確率をメイン制御手段200の抽選値記憶手段270から送信されるようにしてもよく、また、例えば、役Ａ及びレア役としての役Ｂにより設定値を推測するような場合には、その際に役Ａ及び役Ｂの当選確率をメイン制御手段200の抽選値記憶手段270から送信されるようにしてもよいものである。このようにすると、サブ制御手段300に出玉に関わる貴重な情報である当選確率を当初から常時記憶しておく必要がなく、サブ制御手段300に対する不正行為により、当該情報が不正に利用されるようなことはない。
【０１４５】
つぎに、図６を用いて遊技の状態について説明する。
遊技の状態は、メイン制御手段200により管理され、図６に示すように、大別すると、通常遊技、ＲＴ遊技、ボーナス内部中及びボーナス遊技がある。ＲＴは、いわゆるリプレイタイムの略語であり、ＲＴ遊技に移行すると、再遊技役（リプレイ役）に当選する抽選確率、すなわち再遊技確率が原則として高くなる。
【０１４６】
なお、各遊技における再遊技役への当選確率は、通常遊技のＲＴ０（初期状態）においては１／７．３に設定されており、通常遊技のＲＴ１では、ＲＴ０と同じ約１／７．３に設定されている。また、ＲＴ２やＲＴ３では通常遊技のＲＴ０やＲＴ１よりも高く設定されている。
【０１４７】
通常遊技は、通常遊技制御手段251により制御され、ＲＴ０と、ＲＴ１とがある。
ＲＴ０からＲＴ１には、特に図示していないが、予め定めた所定図柄（いわゆる、取りこぼし図柄）を停止表示させた時に移行する。
【０１４８】
ＲＴ遊技は、ＲＴ制御手段252により制御され、通常遊技より再遊技役への当選確率の高いＲＴ２が設けられている。
なお、ボーナス移行役に当選し当該ボーナス移行役に対応した図柄61を有効ライン86上に停止表示できなかった場合に移行するボーナス内部中（ＲＴ３）では、ＲＴ２より低いが通常遊技より再遊技役への当選確率は高くなるように設定されている。もちろん、このＲＴ３の再遊技役の当選確率は、通常遊技と同等に設定してもよいし、ＲＴ２と同等又はＲＴ２より高くなるように設定してもよい。
【０１４９】
ここで、通常遊技からＲＴ遊技、具体的には、ＲＴ１からＲＴ２には、特に図示していないが、ＲＴ２移行図柄としての図柄（いわゆる昇格図柄）を停止表示させた時に移行する。例えば、所定の押し順「正解」時に、当該昇格図柄を停止表示させた時に移行する。
【０１５０】
また、ＲＴ２において、いわゆる転落図柄や、前述の予め定めた所定図柄（いわゆる、転落図柄）を停止表示させるとＲＴ１に移行する。
【０１５１】
ボーナス内部中は、ボーナス内部中制御手段254により制御され、ボーナス移行役に当選すると、移行する。
【０１５２】
ボーナス遊技は、ボーナス遊技制御手段253により制御され、「ボーナス内部中」に「ボーナス図柄（ボーナス移行図柄）」を揃えることで移行する。
ボーナス遊技には、ビッグボーナス（ＢＢ）であって、いわゆるレギュラーボーナス（ＲＢ）が連続作動し、所定の枚数、例えば２００枚を超えるメダルの払出しで終了する。
そして、ボーナス遊技終了後、ＲＴ０に移行する。
【０１５３】
次に図７を用いて、演出状態について説明する。
図７に示すように、通常の演出状態である通常演出状態から、ＡＲＴの前兆となる演出状態である前兆演出状態へ移行可能となり、この前兆演出状態からＡＲＴ準備中状態へ移行可能となり、このＡＲＴ準備中状態からＡＲＴ状態へ移行可能となり、ＡＲＴ状態が終了すると、通常演出状態へ戻る。なお、これらの状態からボーナス状態への移行が可能となる。
【０１５４】
特別状態としてのＡＲＴ状態は、所定の開始条件を達成したときに開始可能であり、所定の終了条件を達成したときに終了可能に形成されている。具体的には、通常演出状態中に許容演出区間への移行抽選、及びＡＲＴ状態への移行抽選に当選すると、前兆演出状態へ移行し、数回の遊技の前兆演出の後、ＡＲＴ準備中状態へ移行し、数回の遊技（リプレイ確率を変動させるための昇格リプレイ役（図示せず）の入賞）の後、ＡＲＴ状態へ移行する。許容演出区間への移行抽選は当選したが、ＡＲＴ状態への移行抽選に当選しなくても、前兆演出状態へ移行して前兆演出（いわゆるガセ演出）が開始され、数回の遊技の後、通常演出状態へ戻る。
【０１５５】
なお、許容演出区間への移行抽選において、当選した後、前兆演出状態へ移行して、更に抽選等によりＡＲＴ準備中状態やＡＲＴ状態へ移行するか否かが抽選により決定されるようにしてもよい。また、許容演出区間への移行抽選、及びＡＲＴ状態への移行抽選に当選した場合、前兆演出状態を経由せずに直接、ＡＲＴ準備中状態やＡＲＴ状態へ移行するようにしてもよい。また、チェリーなどの移行抽選役に当選すれば、許容演出区間移行に係る抽選の結果にかかわらず（許容演出区間移行に係る抽選を経なくても）許容演出区間に移行することが確定し、ＡＲＴ状態へ移行するかの抽選を行ってもよいし、さらに、許容演出区間に、いわゆるチャンスゾーンを設け、チェリーなどの所定役に当選、若しくは当該当選に基づく移行抽選に当選すれば、チャンスゾーンに移行することが確定し、チャンスゾーンの所定の遊技期間の間に、所定役に複数回当選することや、所定のポイント抽選を行い、ポイント数の合計が所定の閾値に到達することにより、ＡＲＴ状態へ移行できるようにしてもよい。
【０１５６】
また、ＡＲＴ状態は、本実施の形態では、初期ゲーム数として５０ゲームの遊技が可能に設定されており、実施したゲーム数が当該５０ゲームに到達した場合に、「ＡＲＴ状態」を終了するように設定されている。もちろん、ＡＲＴ状態の終了条件は、これに限定されるものではなく、所定の払出枚数に到達した場合に終了する等、他の種々の条件や、それらの組み合わせにしてもよいものである。
また、ＡＲＴ状態は、予め所定の終了条件が定められていても、さらに所定の契機で所定の上乗せ抽選等を実施することにより、終了遊技回数の上乗せ等を決定することで、終了条件の変更が可能となるようにしてもよい。
【０１５７】
図８に示すように、各レベルにおける設定値の推測に使用する役及びその他の情報の内容が設定されている。既に説明しているように、レベル１では、役Ａの１つ、レベル２では、役Ａ及び役Ｂの２つ、レベル３では、役Ａ、役Ｂ及び設定値の履歴情報の３つを用いて、設定値を推測するものである。
【０１５８】
図９では、サブ制御手段300の推測用抽選値記憶手段380には、役Ａと、役Ｂと、その他の役との設定値１及び２における役抽選の当選確率が記憶されている。なお、これらのデータは、既に説明したように、メイン制御手段200の抽選値記憶手段270の一部に同一のデータが記憶されている。
【０１５９】
図１０では、既に説明しているように、電源投入後の遊技の開始からの通常演出状態の遊技回数１０回中における役Ａの当選回数と、役Ｂの当選回数と、その他の回数が順に５回、２回、３回になったものが示されている。
【０１６０】
図１５に示すフローチャートに基づいて、メイン制御手段200が通常遊技中の１回の遊技毎に実行する一般的な制御処理について説明する。
【０１６１】
ステップ１３０において、スタートスイッチ40の操作があったか否かの判定が行われる。ここで、スタートスイッチ40の操作があったと判定されると、メイン制御手段200により、賭け数の設定が不可能な状態とされる。このタイミングでスタートスイッチ40が操作されたことを示すスタートコマンドがサブ制御手段300に送信される。その後、次のステップ１３１に進む。一方、スタートスイッチ40の操作がないと判定されると、再度ステップ１３０に戻る。
【０１６２】
なお、このステップ１３０の前提として、賭け数設定処理が行われている。この賭け数設定処理では、賭け数として規定の賭け数が設定されたか否かが判定されるものである。具体的には、メイン制御手段200により、当該遊技の賭け数として設定されているメダルの枚数が規定の賭け数３に達しているか否かの判定が行われる。
【０１６３】
ステップ１３１において、役抽選手段210により、役抽選処理が行われる。この役抽選処理により、当選した役等を特定するための当選番号が決定される。また、このとき、役抽選の結果（内部当選情報コマンド）がメイン制御手段200からサブ制御手段300へ送信される。これらの処理が終了すると、次のステップ１３２に進む。
【０１６４】
ステップ１３２において、リール制御手段220により、リールユニット60におけるリール62の回転起動処理（回転開始処理）が行われる。リール62が所定の回転速度に達した後、いわゆる定常回転になった後、ストップスイッチ50の停止操作が可能な状態となる。そして、次のステップ１３３に進む。
【０１６５】
ステップ１３３において、遊技者によりストップスイッチ50の停止操作が行われる。そして、次のステップ１３４に進む。
ステップ１３４において、リール制御手段220により、操作されたストップスイッチ50に対応するリール62の停止位置を決定する処理が行われる。具体的には、役抽選の結果と、ストップスイッチ50の操作タイミングとによって、停止位置が決定されるものである。そして、次のステップ１３５に進む。
【０１６６】
ステップ１３５において、リール制御手段220により、決定した停止位置で当該リール62の回転停止が行われる。そして、次のステップ１３６に進む。
ステップ１３６において、全てのリール62が回転を停止したか否かが判定される。そして、全てのリール62が回転を停止したと判定された場合、次のステップ１３７に進み、全てのリール62が回転を停止していない、すなわち回転中のリール62が残っていると判定された場合、ステップ１３３に戻る。
【０１６７】
ステップ１３７において、メダルの払出処理が行われる。具体的には、停止図柄判定手段230及び払出制御手段240により、当選役に係る図柄が有効ライン86上に停止している場合には、その当選役に対応する枚数のメダルの払い出しが行われる。なお、メダルの払い出しが不要な場合には、メダルの払い出しは行われない。そして、当該処理が終了する。
【０１６８】
図１６に示すフローチャートに基づいて、サブ制御手段300における設定値推測処理について説明する。
先ず、ステップ２０９において、メイン制御手段200からサブ制御手段300へ所定のコマンドを受信しているか否かが判定される。ここで、所定のコマンドは、スタートコマンド及び内部当選状態コマンドである。そして、これらのコマンドを受信していると判定された場合、次のステップ２１０へ進み、これらのコマンドを受信していないと判定された場合、ステップ２０９に戻る。
【０１６９】
ステップ２１０において、計数手段340により、当選回数等の所定の計数処理が行われる。具体的には、電源投入後の遊技の開始からの通常演出状態の遊技回数のカウントと、予め定めた役（役Ａ、役Ｂ、その他の役）の当選回数のカウントとが行われるものである。そして、次のステップ２１１に進む。
【０１７０】
ステップ２１１において、レベルアップ抽選契機決定手段370により決定された「所定の契機」であるか否かが判定される。「所定の契機」であると判定された場合、次のステップ２１２に進み、「所定の契機」でないと判定された場合、当該処理は終了する。
なお、ここで、「所定の契機」とは、既に説明しているように、レベルアップ抽選契機決定手段370により、通常演出状態の遊技回数をカウントし、遊技回数５０回毎に所定の契機であるか否かを判定しているものである。
【０１７１】
ステップ２１２において、レベルアップ抽選手段350により、レベルアップ抽選処理が行われる。このレベルアップ抽選に当選すると、現在のレベルに１が加算され、当該数値が新たなレベルとなる。レベルアップ抽選に当選していない場合、現在のレベルがそのまま維持される。そして、次のステップ２１３に進む。
【０１７２】
ステップ２１３において、現在のレベルがレベル１であるか否かが判定される。現在のレベルがレベル１である場合には、次のステップ２１４に進み、現在のレベルがレベル１でない場合には、ステップ２１６に進む。
【０１７３】
ステップ２１４において、推測手段330により、役Ａによる設定値推測処理が行われる。具体的には、上述した計算手法により、設定期待度が算出され、最も設定期待度が大きな設定値を推測設定値とするものである。そして、ステップ２１５に進む。
【０１７４】
ステップ２１５において、推測設定値を示唆する画面が表示装置84により表示される。この推測設定値を示唆する画面は、推測設定値を間接的に示唆する演出が表示されるようなものでもよいし、推測設定値がそのまま直接的に表示されるようなものでもよい。なお、推測設定値を表示するタイミングは、これに限定されるものではなく、所定遊技回数（例えば、遊技回数１００回）毎、演出抽選に当選した場合等、他のタイミングであってもよい。そして、当該処理が終了する。
一方、ステップ２１３で現在のレベルがレベル１でないと判定された場合、ステップ２１６において、現在のレベルがレベル２であるか否かが判定される。現在のレベルがレベル２であると判定された場合、ステップ２１７に進み、現在のレベルがレベル２でないと判定された場合、ステップ２１８に進む。
【０１７５】
ステップ２１７において、推測手段330により、役Ａと、役Ｂとによる設定値推測処理が行われる。具体的には、上述した計算手法により、設定期待度が算出され、最も設定期待度が大きな設定値を推測設定値とするものである。そして、ステップ２１５に進む。
【０１７６】
一方、ステップ２１６で現在のレベルがレベル２でないと判定された場合、ステップ２１８において、推測手段330により、役Ａと、役Ｂと、その他の履歴情報等による設定値推測処理が行われる。具体的には、上述した計算手法により、設定期待度が算出され、最も設定期待度が大きな設定値を推測設定値とするものである。さらに、これまでの推測設定値の履歴情報から当該推測設定値が妥当であるか否か、妥当でない場合は、より妥当なものを推測設定値として決定するものである。そして、ステップ２１５に進む。
【０１７７】
本実施の形態では、上述したような構成を有することで以下に示すような作用及び効果を奏する。
本実施の形態によれば、レベルアップ抽選手段350が、所定契機で設定値を推測する精度としてのレベルを引き上げ可能なレベルアップ抽選を行う。
役決定手段360が、前記レベルに応じて、設定値の推測に使用する役を決定し、推測手段330が、役決定手段360で決定した役に対応する計数手段340の計数結果に基づき、設定値を推測する。
演出手段が、推測手段330が推測した設定値に基づいて設定値を示唆する示唆演出を実行する。
【０１７８】
本実施の形態では、予め設定された設定値ではなく、役抽選の結果、役の当選回数を個別に計数することで、当該遊技結果に基づいて設定値を推測している。この推測した設定値に基づいて、当該設定値を示唆する演出を実行することで、遊技者の関心事である当該遊技機10の現在の設定値を予測することができ、興趣に富むものにすることができる。
さらに、遊技を進めていくことで、設定値を推測する精度が変化するため、興趣に富むものにすることができる。
さらに、本実施の形態では、予め設定された設定値の具体的な情報が無くても、設定値を推測することができ、いわゆるゴト等の不正行為により予め設定された設定値の情報が盗まれることを防止することが可能となる。
【０１７９】
本実施の形態によれば、メイン制御手段200は、役抽選手段210を備えている。すなわち、複数種類の設定値に応じて異なる抽選確率が設定された複数の所定役を含む役に当選するか否かの役抽選は、メイン制御手段200において実施されている。
【０１８０】
一方、計数手段340と、レベルアップ抽選手段350と、役決定手段360と、推測手段330と、演出手段とは、サブ制御手段300に備えている。すなわち、役抽選の結果に基づいて設定値を推測したり、設定値を推測する精度としてのレベルを引き上げたり、レベルに応じて、設定値の推測に使用する役を決定したり、推測した設定値に基づいて設定値を示唆する示唆演出を実行したりするのは、全てサブ制御手段300で実行している。
【０１８１】
これにより、メイン制御手段200と、サブ制御手段300とで、役割の分担を図ることができる。
また、例えば、予め設定される設定値の情報は、メイン制御手段200だけに残しておいて、当該設定値の具体的な情報をサブ制御手段300に送信しないようにすると、予め設定した設定値の漏洩を抑えることが可能となる。
【０１８２】
本実施の形態によれば、メイン制御手段200は、設定値の変更の有無をサブ制御手段300に送信している。サブ制御手段300は、レベル３において、設定値の変更の有無の情報を参照して、設定値を推測可能とすることで、役抽選における当選の情報に加えて、設定値の変更の有無の情報により、より精度の高い設定値の推測を可能にすることができる。
【０１８３】
本実施の形態によれば、レベルアップ抽選によりレベルが引き上げられる（増加する）と、設定値の推測に使用する役等の対象（履歴情報も含む）の個数が増加する。設定値の推測に使用する役の個数が増加すると、設定値の推測の精度がより正確なものとなり、推測する設定値の信頼度を向上させることができる。
なお、本実施の形態では、レベルが１レベル引き上げられると役の個数は１個だけ増加しているが、増加する数は、この１個に限定されるものではなく、２個以上であってもよい、また、増加する数は各レベルで異なるものでもよく、抽選等で増加する数を決定してもよい。
また、本実施の形態では、レベル３では、役の代わりに、その他の情報（設定値の履歴情報）が加えられているが、特にこれに限定されるものではなく、履歴情報に代えて、設定値の推測に使用する他の役でもよいものである。
【０１８４】
本実施の形態によれば、推測手段330は、複数の遊技に渡って、設定値の推測結果を記憶し、この記憶された設定値を参照して、現在の設定値を推測可能としている。すなわち、推測した設定値の過去の履歴情報を有している。当該遊技機10を設置する遊技ホールの管理者等が設定値を変更する場合に、所定の規則性を有するような場合（具体的には、例えば、３日毎や、１週間毎等に変更するような場合や、１週間の所定の曜日は、１ヶ月の所定の日に変更するような場合）には、設定値を推測する情報として、有効なものとなり、推測する設定値の信頼度をより向上させることができる。
【０１８５】
本実施の形態では、設定値を示唆する情報を外部へ出力可能である。すなわち、推測した設定値を示唆する情報が、当該遊技機10の表示装置84やスピーカー72等の演出装置70により、外部に向かって、映像や音声により出力される。
【０１８６】
本実施の形態によれば、設定値を示唆する情報が遊技者に向かって遊技機10の外部に表示等されると、遊技者が遊技を継続するか否か等の有効な情報となる。
なお、本実施の形態では、推測設定値の情報を上述した遊技機の表示装置84等に表示されることに加えて（又は代えて）推測した設定値を示唆する情報が、当該遊技機10からハーネスやコネクタ等の伝送路を介して、当該遊技機10が設置されている遊技ホールのホールコンピュータや、データ機器等へデータとして出力されるようにしてもよい。
【０１８７】
本実施の形態によれば、当該情報が遊技ホールのホールコンピュータ等の管理者等に表示されると、不正行為の発見等に有効な情報となり得る。
【０１８８】
（第２の実施の形態）
第１の実施の形態では、設定値の種類の数を２段階、設定値の推測に使用する役を役Ａ、役Ｂ等で簡略したものであったが、本実施の形態では、設定値の種類の数を、設定１〜６の６段階、設定値の推測に使用する役もボーナス役、レア役としてのスイカ役、通常役としてのベル役等を用いているものであって、かかる場合の計算手法を第１の実施の形態と同様の計算手法により実施しているものである。
【０１８９】
図１７に示すように、本実施の形態では、第１の実施の形態と同様に、前記設定値を推測する精度として、「レベル」を設定している。
本実施の形態に係る「レベル」は、レベル１、２、３、４の４つのレベルから成立するものである。「レベル」の初期値は、レベル１に設定されてあり、電源投入によりレベル１に初期化されるように形成されている。
【０１９０】
図１７に示すように、レベル１では、設定値を推測するために使用する役として、ボーナス役が設定されている。レベル２では、設定値を推測するために使用する役として、ボーナス役と、レア役としてのスイカ役とが設定されている。レベル３では、設定値を推測するために使用する役として、ボーナス役と、スイカ役と、通常役としてのベル役とが用いられている。レベル４では、設定値を推測するために使用する役として、ボーナス役と、スイカ役と、ベル役とが用いられるとともに、加えて設定値の履歴情報が設定値の推測に用いられている。
【０１９１】
本実施の形態でも、第１の実施の形態と同様に、レベルアップ抽選が実施され、このレベルアップ抽選は、レベルを１だけ引き上げるか否かの抽選が行われるものであって、当選確率は、１／２に設定されている。
【０１９２】
本実施の形態でも、当選確率１／２の抽選により、レベルを現在のレベルから「＋１」だけ引き上げたレベルにするか否かの抽選が行われるものである。（図１７点線白抜き矢印参照）。もちろん、レベルアップは、現在のレベルを「＋１」だけ引き上げるものに限定されるものではなく、例えば現在のレベルを「＋２」引き上げるものや、「＋３」引き上げるものを有してもよいものである（図１７の点線白抜き矢印参照）。その際、当選により引き上げるレベルの上限を超えるような場合は、当該レベルの上限となるものであって、例えば、レベル２において、「＋３」に当選した場合であっても、上限のレベルであるレベル４となるものである。
【０１９３】
なお、本実施の形態では、現在のレベルを引き上げるレベルアップだけを対象としているが、第１の実施の形態と同様に、このレベルアップに加えて、或いは、このレベルアップに代えて、特定の契機に現在のレベルを引き下げるレベルダウンを実施するようにしてもよい（図１７の黒塗り矢印参照）。その際にも、現在のレベルを「−１」だけ引き下げるレベルにするか否かのレベルダウン抽選が、レベルアップ抽選と同様の手法により行われる。また、このレベルダウン抽選でも、レベルダウンは、現在のレベルを「−１」だけ引き下げるものに限定されるものではなく、例えば現在のレベルを「−２」引き下げるものや、「−３」引き下げるものを有してもよいものである（図１７の黒塗り矢印参照）。その際、当選により引き下げるレベルの上限を超えるような場合は、当該レベルの下限となるものであって、例えば、レベル３において、「−３」に当選した場合であっても、下限のレベルであるレベル１となるものである。
【０１９４】
本実施の形態では、小役としてチェリー役や、スイカ役等の複数種類の小役が含まれている。通常遊技における設定値１〜６の各設定値での小役の役抽選における当選確率が予め定められている。それらの中で、本実施の形態におけるボーナス役、レア役としてのスイカ役、通常役としてのベル役の役抽選における当選確率が図１８に示すように設定されている。
【０１９５】
例えば、ボーナス役の当選確率は、設定値１、２、３、４、５、６において、それぞれ順に１／３００、１／２９０、１／２８０、１／２７０、１／２６０、１／２５０と予め設定されている。
また、例えば、レア役としてのスイカ役の当選確率は、設定値１、２、３、４、５、６において、それぞれ順に１／３０、１／２９、１／２８、１／２７、１／２６、１／２５と予め設定されている。
また、例えば、通常役としてのベル役の当選確率は、設定値１、２、３、４、５、６において、それぞれ順に１／１５、１／１４、１／１３、１／１２、１／１１、１／１０と予め設定されている。
【０１９６】
図１９では、電源投入後の遊技の開始から通常演出状態の遊技回数１０００回中におけるボーナス役と、スイカ役と、ベル役との当選回数が順に４回、３４回、８０回になったことが示されている。
本実施の形態では、図１８に示す当選確率を用い、図１９に示す当選回数等の基礎データを用いて、第１の実施の形態で用いた設定期待度を算出する計算手法を用いて、各設定における設定期待度を算出して推測設定値を決定している。
【０１９７】
先ず、最初に、図２０に示すように、ボーナス役のみで設定値の推測を実施している。図２０では、レベル１でボーナス役のみで設定期待度を介して推測設定値を決定しているものである。
【０１９８】
図２０（Ａ）に示すように、ボーナス役と、その他の役との設定値１〜６における当選確率が設定されている。
【０１９９】
また、図２０（Ｂ）に示すように、遊技回数１０００回の遊技の結果、ボーナス役の当選回数が４回、その他の役の個数（ハズレも含む）が９９６回になっている。第１の実施の形態で示した計算手法により上述したデータで計算を実施すると、組み合わせ数は、図２０（Ｃ）に示す数値となり、各設定における確率、重複考慮確率、設定期待度は、図２０（Ｄ）に示す数値となる。この図２０に示すボーナス役だけの設定期待度では、全設定に設定期待度にあまり差がないため、設定値の判別精度がかなり低く、設定期待度が最も高いものは、設定６（参考値）となるが、参考値であって、実際には、設定不明と考える。
【０２００】
次に、図２１に示すように、ボーナス役とレア役との２つで設定値の推測を実施している。図２１では、レベル２でボーナス役とレア役とで設定期待度を介して推測設定値を決定しているものである。
図２１（Ａ）に示すように、ボーナス役と、レア役と、その他の役との設定値１〜６における当選確率が設定されている。
また、図２１（Ｂ）に示すように、遊技回数１０００回の遊技の結果、ボーナス役の当選回数が４回、レア役が３４回、その他の役の個数（ハズレも含む）が９６２回になっている。第１の実施の形態で示した計算手法により上述したデータで計算を実施すると、組み合わせ数は、図２１（Ｃ）に示す数値（６．９２５１Ｅ＋７３＝６．９２５１×１０の７３乗）となり、各設定における確率、重複考慮確率、設定期待度は、図２１（Ｄ）に示す数値となる。なお、確率については、数値が小さい（分母の数値が大きい）ため、省略する。この図２１に示す設定期待度では、設定１〜４の設定期待度がやや高いが、まだ差が小さいため、判別精度が低く、設定１〜４の可能性がありと考える。なお、設定期待度が最も高いものは、設定２の１８．９１％となるため、推測設定値は２となる。
【０２０１】
次に、図２２に示すように、ボーナス役とレア役と通常役との３つで設定値の推測を実施している。図２２では、レベル３でボーナス役とレア役と通常役とで設定期待度を介して推測設定値を決定しているものである。
【０２０２】
図２２（Ａ）に示すように、ボーナス役と、レア役と、通常役と、その他の役との設定値１〜６における当選確率が設定されている。
【０２０３】
また、図２２（Ｂ）に示すように、遊技回数１０００回の遊技の結果、ボーナス役の当選回数が４回、レア役が３４回、通常役が８０回、その他の役の個数（ハズレも含む）が８８２回になっている。第４の実施の形態で示した計算手法により上述したデータで計算を実施すると、組み合わせ数は、図２２（Ｃ）に示す数値（１．４８６Ｅ＋１９２＝１．４８６×１０の１９２乗）となり、各設定における確率、重複考慮確率、設定期待度は、図２２（Ｄ）に示す数値となる。なお、確率については、数値が小さい（分母の数値が大きい）ため、省略する。この図２２に示す設定期待度では、設定２〜４の設定期待度がかなり高く、判別精度が高く、設定２〜４の可能性が高いと考える。なお、設定期待度が最も高いものは、設定３の３０．７７％となるため、推測設定値は３となる。
【０２０４】
図２３に示すフローチャートに基づいて、サブ制御手段300における設定値推測処理について説明する。
先ず、ステップ３０９において、メイン制御手段200からサブ制御手段300へ所定のコマンドを受信しているか否かが判定される。ここで、所定のコマンドは、スタートコマンド及び内部当選状態コマンドである。そして、これらのコマンドを受信していると判定された場合、次のステップ３１０へ進み、これらのコマンドを受信していないと判定された場合、ステップ３０９に戻る。
【０２０５】
ステップ３１０において、計数手段340により、当選回数等の所定の計数処理が行われる。具体的には、通常演出状態の遊技回数のカウントと、予め定めた役（ボーナス役、スイカ役、ベル役）の当選回数のカウントとが行われるものである。そして、次のステップ３１１に進む。
【０２０６】
ステップ３１１において、レベルアップ抽選契機決定手段370により決定された「所定の契機」であるか否かが判定される。「所定の契機」であると判定された場合、次のステップ３１２に進み、「所定の契機」でないと判定された場合、当該処理は終了する。
なお、ここで、「所定の契機」とは、既に説明しているように、レベルアップ抽選契機決定手段370により、通常演出状態の遊技回数をカウントし、遊技回数５０回毎に所定の契機であるか否かを判定しているものである。
【０２０７】
ステップ３１２において、レベルアップ抽選手段350により、レベルアップ抽選処理が行われる。このレベルアップ抽選に当選すると、現在のレベルに１が加算され、当該数値が新たなレベルとなる。レベルアップ抽選に当選していない場合、現在のレベルがそのまま維持される。そして、次のステップ３１３に進む。
【０２０８】
ステップ３１３において、現在のレベルがレベル１であるか否かが判定される。現在のレベルがレベル１である場合には、次のステップ３１４に進み、現在のレベルがレベル１でない場合には、ステップ３１６に進む。
【０２０９】
ステップ３１４において、推測手段330により、ボーナス役による設定値推測処理が行われる。具体的には、上述した計算手法により、設定期待度が算出され、最も設定期待度が大きな設定値を推測設定値とするものである。そして、ステップ３１５に進む。
【０２１０】
ステップ３１５において、推測設定値を示唆する画面が表示装置84により表示される。この推測設定値を示唆する画面は、推測設定値を間接的に示唆する演出が表示されるようなものでもよいし、推測設定値がそのまま直接的に表示されるようなものでもよい。なお、推測設定値を表示するタイミングは、これに限定されるものではなく、所定遊技回数（例えば、遊技回数１００回）毎、演出抽選に当選した場合等、他のタイミングであってもよい。そして、当該処理が終了する。
一方、ステップ３１３で現在のレベルがレベル１でないと判定された場合、ステップ３１６において、現在のレベルがレベル２であるか否かが判定される。現在のレベルがレベル２であると判定された場合、ステップ３１７に進み、現在のレベルがレベル２でないと判定された場合、ステップ３１８に進む。
【０２１１】
ステップ３１７において、推測手段330により、ボーナス役と、スイカ役とによる設定値推測処理が行われる。具体的には、上述した計算手法により、設定期待度が算出され、最も設定期待度が大きな設定値を推測設定値とするものである。そして、ステップ３１５に進む。
【０２１２】
一方、ステップ３１６で現在のレベルがレベル２でないと判定された場合、ステップ３１８において、現在のレベルがレベル３であるか否かが判定される。現在のレベルがレベル３であると判定された場合、ステップ３１９に進み、現在のレベルがレベル３でないと判定された場合、ステップ３２０に進む。
【０２１３】
ステップ３１９において、推測手段330により、ボーナス役と、スイカ役と、ベル役による設定値推測処理が行われる。具体的には、上述した計算手法により、設定期待度が算出され、最も設定期待度が大きな設定値を推測設定値とするものである。そして、ステップ３１５に進む。
【０２１４】
ステップ３２０において、推測手段330により、ボーナス役と、スイカ役と、ベル役と、その他の履歴情報等による設定値推測処理が行われる。具体的には、上述した計算手法により、設定期待度が算出され、最も設定期待度が大きな設定値を推測設定値とする。さらに、これまでの推測設定値の履歴情報から推測設定値が妥当であるか否か、妥当でない場合は、より妥当なものを推測設定値として決定するものである。そして、ステップ３１５に進む。
【０２１５】
本実施の形態では、各設定における設定期待度が算出されることで、各設定における期待度が分かることで、１つの推測設定値だけでは得ることができない広範囲の設定値に対する情報を得ることができる。例えば、上述した例では、設定２〜４の期待度がかなり高いということで、仮に設定３でなくても、設定２又は設定４である確率がかなり高いということを理解することが可能となり、当該遊技機10で遊技を継続するか否か等の判断をより正確な情報に基づいて判断することが可能となる。
【０２１６】
（第３の実施の形態）
上述した第１の実施の形態では、メイン制御手段200により設定値の変更を実行しても、複数の設定値のいずれに変更したかの具体的な情報は、サブ制御手段300に送信せずに、設定値に変更が行われたか否かの設定値の変更の有無の情報だけが、送信されていた。
本実施の形態では、メイン制御手段200において、設定値の変更を実行した場合、所定の契機で複数の設定値のいずれの設定値であるかの具体的な設定値の情報をサブ制御手段300に送信するように形成されているものである。
【０２１７】
そして、本実施の形態に係るサブ制御手段300は、メイン制御手段200から送信されてきた設定値と、推測手段330が推測した設定値とが異なる場合には、当該情報を外部へ出力可能としたことを特徴とするものである。
具体的には、サブ制御手段300は、メイン制御手段200から送信されてきた設定値と、推測手段330が推測した設定値とを比較して、両者の数値が異なる場合には、当該情報を外部へ出力することを決定する設定値比較決定手段（図示せず）を備えたことを特徴とするものである。
また、ここで、「当該情報を外部へ出力可能とした」の「当該情報」とは、例えば所定の設定値と推測された設定値とが異なる旨の情報（又は、異なることを意味する情報）、例えば所定の設定値と推測された設定値とが異なることに対応するエラー情報が含まれる。また、「外部へ出力」とは、上述したような情報を、伝送路や無線を介して、遊技ホールの管理者が管理するホールコンピュータに送信するものであるが、遊技機10の表示装置84等に直接、表示させて、当該情報を外部へ出力するようなものも含まれる。
【０２１８】
以下、具体的に説明する。
本実施の形態に係る遊技機10は、第１の実施の形態と同様に、遊技の進行を制御するメイン制御手段200と、メイン制御手段200から送信される情報に基づき遊技の進行に合わせた演出の制御を行うサブ制御手段300とを備えている。
【０２１９】
メイン制御手段200は、第１の実施の形態と同様に所定の抽選確率に基づいて役に当選するか否かの役抽選を行うものである。この所定の抽選確率は、複数種類の設定値に応じて異なる値が設定されている。
【０２２０】
ここで、メイン制御手段200は、複数種類の設定値の中から選択された特定の設定値に対応する抽選確率を用いて役抽選を実行すると共に、役抽選の抽選結果及び特定の設定値に関する具体的な情報（複数の設定値の中のいずれの設定値が設定されているかの具体的な情報）をサブ制御手段300に送信するものである。
そして、サブ制御手段300は、第１の実施の形態で説明したものと同様の手法により、推測設定値を推測する推測手段330を備えている。
【０２２１】
そして、サブ制御手段300の設定値比較決定手段は、メイン制御手段200により選択された特定の設定値と、推測手段330により推測された設定値（推測設定値）とが異なる場合には、当該情報を外部へ出力可能に形成されていることを特徴としているものである。
本実施の形態によれば、サブ制御手段300の推測手段330が、第１の実施の形態と同様に、設定値を推測している。これにより、上述した第１の実施の形態で説明したものと同様の作用効果を有するものであり、遊技者の関心事である当該遊技機10の現在の設定値を予測することができ、興趣に富むものにすることができる。
さらに、それに加えて、本実施の形態では、以下に示すような作用効果を有する。
【０２２２】
第１の実施の形態では、メイン制御手段200で設定された設定値に関する具体的な情報（設定値をいずれの値に設定しているかという情報）は、不正防止等を考慮して、サブ制御手段300へ送信していなかった。
本実施の形態では、メイン制御手段200で設定された設定値に関する上記具体的な情報をサブ制御手段300へ送信するものである。一方で、サブ制御手段300では、第１の実施の形態で説明したような手法により、推測設定値を推測する。
【０２２３】
本実施の形態では、サブ制御手段300において、遊技結果により推測した推測設定値と、メイン制御手段200から送信されてきた設定値とが異なる場合には、不正操作が行われている可能性が高いものとして、当該遊技機10の外部に対して、当該内容に関する情報が出力され得るものである。具体的には、当該遊技機10を設置している遊技ホールのホール管理者が管理するホールコンピュータへ出力されるようなものが含まれる。
上述した内容以外の構成や作用及び効果は、第１の実施の形態で説明したものと同様であるため、それらの説明は省略する。
【０２２４】
仮に何らかの方法で、営業時間内（ホール管理者が設定値を設定する営業準備作業後）における遊技機10に対する不正な行為、いわゆるゴト行為、具体的には、例えば、メイン制御基板（メイン制御手段200）の全部を不正な基板に交換するものや、基板上の部品の一部を不正な部品に差し替える等の不正行為により、ホール管理者が設定した設定値とはかけ離れた頻度で所定の役の当選が発生しているような場合には、その役の当選により推測される推測設定値と、メイン制御手段200から当初に送信されてきた特定の設定値とが、かけ離れた異なる数値となる。このような場合に、遊技中（すなわち、遊技ホールの遊技が行われている営業時間中）にホール管理者等に対して当該内容の情報が出力されて所定の報知が行われることで、何らかの不正行為（ゴト行為）が行われているかもしれないという不正行為を早期に推測するための手助けとなり、不正行為の発見を早期且つ容易なものにすることができ、不正行為の抑制を図ることが可能となる。
【０２２５】
なお、「当該情報を外部へ出力」に代えて、又は、これに加えて、当該遊技機10における遊技を強制的に中断させるようにしてもよく、また、当該遊技機10の電源を遮断するようにしてもよい。
【０２２６】
また、本実施の形態では、推測した推測設定値と、メイン制御手段200から送信されてきた実際の設定値とが異なる場合に当該情報を外部へ出力可能としたが、推測設定値には測定誤差があるため、これに限定されるものではなく、推測設定値と実際の設定値との数値の差が予め定めた特定値（例えば、２や、３）以上である場合に、当該情報を外部へ出力するように形成してもよい。これにより、測定誤差を排除して、明らかに異常が発生している場合だけに注力することが可能となる。
【０２２７】
（第４の実施の形態）
上述した第２の実施の形態では、推測手段330が推測した推測設定値の数値１〜６のいずれかを示唆する画面を表示装置等に表示するものであったが、本実施の形態では、推測手段330が推測した推測設定値に基づいて、推測設定値を間接的に示唆する演出を抽選で選択し、当該演出を実施することで、間接的に推測設定値を報知するものである。
【０２２８】
図２４に示すように、抽選テーブルでは、演出画面としての画面Ａ〜Ｆにおける各推測設定値での当選確率が設定されている。
推測手段330が決定した推測設定値において、図２４に示す演出画面Ａ〜Ｆの当選確率を用いた抽選が行われ、演出画面Ａ〜Ｆからいずれの演出画面を表示させるか決定される。
【０２２９】
推測設定値の示唆について、以下に具体的に説明する（図２４参照）。
画面Ａは、設定値１や設定値２の設定値として低い数値が設定されている可能性が高いことを示唆するものであって、「低設定の示唆」となるものである。
画面Ｂは、設定値３や設定値４の設定値として中程度の数値が設定されている可能性が高いことを示唆するものであって、「中設定の示唆」となるものである。
画面Ｃは、設定値５や設定値６の設定値として高い数値が設定されている可能性が高いことを示唆するものであって、「高設定の示唆」となるものである。
【０２３０】
画面Ｄは、設定値２や設定値４や設定値６の設定値として偶数の数値が設定されている可能性が高いことを示唆するものであって、「遇数設定の示唆」となるものである。
画面Ｅは、設定値１や設定値３や設定値５の設定値として奇数の数値が設定されている可能性が高いことを示唆するものであって、「奇数設定の示唆」となるものである。
画面Ｆは、設定値１や設定値２の設定値として低い数値と、設定値５や設定値６の設定値として高い数値との両方が設定されている可能性が高いことを示唆するものであって、「高設定又は低設定の示唆」となるものである。
【０２３１】
この表示装置84に表示される演出画面Ａ〜Ｆは、順に、低設定、中設定、高設定、偶数設定、奇数設定、高設定又は低設定、を示唆する６種類の映像（画面Ａ〜Ｆ）であって、これらの中から図２４に示す当選確率に基づいて抽選により選択される。
【０２３２】
具体的には、上述した第２の実施の形態で説明した同様の手法により推測手段330が、推測設定値１を決定している場合には、低設定を示唆する画面Ａの当選確率（百分率表示、以下同様）３５％、中設定を示唆する画面Ｂの当選確率５％、高設定を示唆する画面Ｃの当選確率５％、遇数設定を示唆する画面Ｄの当選確率１０％、奇数設定を示唆する画面Ｅの当選確率２５％、高設定又は低設定を示唆する画面Ｆの当選確率２０％に設定されている。この推測設定値１の場合には、低設定を示唆する演出画面Ａの当選確率が３５％と最も高く設定され、中設定を示唆する演出画面Ｂや、高設定を示唆する演出画面Ｃの当選確率が５％と最も低くなるように設定されている。
【０２３３】
また、同様に推測手段330が、推測設定値６を決定している場合には、低設定を示唆する画面Ａの当選確率５％、中設定を示唆する画面Ｂの当選確率５％、高設定を示唆する画面Ｃの当選確率３５％、遇数設定を示唆する画面Ｄの当選確率２０％、奇数設定を示唆する画面Ｅの当選確率１０％、高設定又は低設定を示唆する画面Ｆの当選確率２５％に設定されている。この推測設定値６の場合には、高設定を示唆する演出画面Ｃの当選確率が３５％と最も高く設定され、低設定を示唆する演出画面Ａや、中設定を示唆する演出画面Ｂの当選確率が５％と最も低くなるように設定されている。
【０２３４】
これらの当選確率に基づいた抽選が、所定の抽選手段により行われ、いずれか１つの演出画面が選択されるものである。
【０２３５】
本実施の形態では、演出画像に、推測設定値に対して、低設定、中設定、高設定、偶数設定、奇数設定、高設定又は低設定のように当選確率に特徴を有するように形成されていることで、推測設定値の数値が直接表示されるよりも、遊技者がいずれの設定値だろうかと種々、思い巡らすことができ、より興趣に富むものにすることができる。
【０２３６】
なお、ここで、各演出画面と、低設定、中設定、高設定、偶数設定、奇数設定、高設定又は低設定との対応関係は、予め遊技機10の前面等にシール等で表示したり、表示装置84により報知するようにしたり、小冊子等で報知するようにしてもよいが、特に表示等せずに、遊技者が遊技回数を積み重ねて経験により知りうるようにしてもよい。
なお、演出画面Ａ〜Ｆは、表示装置84に表示される静止画像であるが、特にこれに限定されるものではなく、動画像であってもよい。
【０２３７】
（第５の実施の形態）
本実施の形態では、推測設定値を決定するために、第１の実施の形態で説明した設定期待度を算出する計算手法を用いずに、簡単な計算で推測設定値を決定しているものである。なお、本実施の形態では、使用する当選回数や、当選確率等のデータは、第２の実施の形態で用いた同一のデータを用いて、推測設定値を決定しているものである。
その結果、第２の実施の形態において設定期待度を算出する計算手法を用いて推測設定値を求めた結果と、本実施の形態に係る簡単な計算で推測設定値を求めた結果とが略同様の結果となっているものである。以下、具体的に説明する。
【０２３８】
本実施の形態では、第２の実施の形態と同様に設定値の推測のために用いる役として、ボーナス役と、レア役としてのスイカ役と、通常役としてのベル役とが設けられ、第２の実施の形態と同様に図１７に示すようにレベル１〜４に対応して、これらの役及び設定値の履歴情報が設定されている（図１７参照）。
なお、本実施の形態に係る「レベル」は、第２の実施の形態で説明したものと同一であって、レベル１、２、３、４の４つのレベルから成立するものである。同様に「レベル」の初期値は、レベル１に設定されてあり、通常遊技の開始によりレベル１に初期化されるように形成されている。このレベルアップ抽選は、レベルを１だけ引き上げるか否かの抽選が行われるものであって、当選確率は、１／２に設定されている。
また、各設定値における役抽選の当選確率は、第２の実施の形態で用いた図１８に示すものと同一のデータが使用されている。
【０２３９】
本実施の形態では、図２５に示すように、具体的には、例えば、電源投入後の遊技の開始からの通常演出状態を１０００回の遊技を実行した後の当選回数が、第２の実施の形態と同様に、ボーナス役が４回、レア役としてのスイカ役が３４回、通常役としてのベル役が８０回のように記憶しているものである。
【０２４０】
推測手段330は、後述する役決定手段360で決定した役に対応する計数手段340の計数結果に基づき、設定値を推測するためのものである。
推測手段330は、通常演出状態の遊技回数と、後述する役決定手段360で決定した役におけるそれまでの当選回数に基づいて、演算式（当選回数／遊技回数）を用いて、当選確率の推測値、いわゆる推測当選確率を算出する。そして、推測手段330は、当該役における推測当選確率と、推測用抽選値記憶手段380から当該役の当選確率とを比較して、最も両者の差が小さい当選確率に対応する設定値を、推測設定値として決定するものである。
推測手段330は、役決定手段360で決定した役がレベル１に対応して１つの場合、当該１つの役の当選回数により推測設定値を決定する（図１７参照）。
【０２４１】
また、推測手段330は、役決定手段360で決定した役がレベル２に対応して２つの場合、当該２つの役のそれぞれの当選回数により推測された２つの推測設定値を算出し、当該２つの推測設定値の平均値により、最も可能性の高い推測設定値を決定する（図１８及び図２５参照）。
【０２４２】
また、推測手段330は、役決定手段360で決定した役がレベル３に対応して３つの場合、当該３つの役のそれぞれの当選回数により推測された３つの推測設定値を算出し、当該３つの推測設定値の平均値により、最も可能性の高い推測設定値を決定する（図１８及び図２５参照）。
また、推測手段330は、役決定手段360で決定した役がレベル４に対応して３つの場合、当該３つの役のそれぞれの当選回数により推測された３つの推測設定値を算出し、当該３つの推測設定値の平均値と、レベル４において追加された推測設定値の履歴情報を反映させた最も可能性のある推測設定値を決定する（図１８及び図２５参照）。
【０２４３】
ここで、「複数の推測設定値の平均値により、最も可能性の高い推測設定値」とは、例えば、レベル２において、２つの推測設定値が、「設定１」と、「設定３」とである場合には、平均値は、「設定２」となり、「設定２」に決定される。
また、例えば、レベル２において、２つの推測設定値が、「設定１」と、「設定３」とである場合には、平均値は、「設定２」となり、「設定２」に決定される。
平均値が小数点以下の数値を含む場合には、当該平均値との差が最も小さくなる設定値を、推測設定値として決定する。
【０２４４】
例えば、レベル３において、３つの推測設定値が「設定２」と、「設定２」と、「設定３」である場合には、これらの推測設定値の平均値は「設定２．３」となり、当該平均値との差が最も小さくなる設定値は、「２」となり、推測設定値として「設定２」に決定される。なお、平均値との差が同一となるような場合には、四捨五入により推測設定値を決定する。すなわち、平均値が「設定２．５」の場合には、推測設定値は「設定３」に決定されるものである。
【０２４５】
本実施の形態では、メイン制御手段200の設定値選択手段265により遊技ホールの管理者等により設定値の変更が行われた場合、現在の設定値が設定１〜６のいずれであるかの具体的な情報は、メイン制御手段200からサブ制御手段300へは送信されない。しかし、本実施の形態では、設定値選択手段265により設定値が変更されたか否かの変更の有無の情報だけは、メイン制御手段200からサブ制御手段300へ送信されるように形成されている。すなわち、メイン制御手段200は、設定値の変更に伴い、設定値の変更の有無をサブ制御手段300に送信するように形成されている。サブ制御手段300の推測手段330は、メイン制御手段200から送信されてきた設定値の変更の有無の情報を設定値の履歴情報として記憶している。また、推測手段330が推測した推測設定値の履歴も、同様に推測設定値の履歴情報として記憶している。推測手段330は、レベル４において、設定値の変更の有無の情報等の履歴情報を参照して、設定値を推測することができるように形成されている（図１７参照）。
【０２４６】
なお、これらの履歴情報は、電源オフの状態でも所定の期間だけは、記憶が保存されるように形成されているが、もちろん、電源オフの状態で消失又は初期化されるようにしてもよい。
【０２４７】
ここで、レベル４の「履歴情報を反映させる」とは、第１の実施の形態で説明したものと同様であって説明を省略する。
【０２４８】
なお、ここで、本実施の形態では、レベル２以上において、複数の推測設定値が算出されるような場合は、それらの平均値を算出して、推測設定値を決定しているが、特にこれに限定されるものではなく、例えば、複数の推測設定値が算出されるような場合には、これらの複数の推測設定値を全て表示装置84に表示させて、遊技者に判断させるようにしてもよいものである。また、レベル４における履歴情報の反映も、遊技機内部のプログラムにより反映させずに、当該履歴情報を表示装置84に表示させて、複数の推測設定値に基づいて、遊技者自らが当該履歴情報を判断して、推測設定値をそれらの中から推測することができるようにしてもよい。
【０２４９】
推測手段330は、計数手段340が計数している所定役の当選回数が予め定めた値、具体的には、１０未満の場合には、設定値を推測するためのデータ数が不足しており、推測設定値の精度が低く、判定不能として処理しているため、第１の実施の形態で説明したものと同様に、参考値とする。この「参考値」となった場合には、上述した平均値を算出するための数値としては用いないように設定されている。もちろん、上述した平均値を算出するための数値として用いてもよい。
【０２５０】
推測手段330は、後述する役決定手段360で決定した役がレベル１に対応するボーナス役だけの場合、当該ボーナス役に対応する計数手段340の計数結果に基づき、設定値を推測する（図１７参照）。
【０２５１】
例えば、推測手段330は、通常遊技開始後から遊技回数１０００回経過したときのボーナス役の当選回数が４回の場合、推測当選確率として、４／１０００＝１／２５０と算出する（図２５参照）。当選確率１／２５０は、推測用抽選値記憶手段380に記憶されている当選確率（図１８参照）と比較すると、最も差の小さな当選確率に対応する設定値は設定６となる。しかし、ボーナス役の場合、ここでの当選回数が４回と少ない（１０未満）ため、推測設定値としての精度は低く、参考値として表示される。なお、推測手段330は、当選回数が１桁（１０未満）の場合には、推測設定値としての精度は低いため、参考値として表示するように設定されている。もちろん、この当選回数１桁に限定されるものではなく、参考値としての基準は、当選回数２０回以上や、５０回以上のように多い値にしてよく、また、当選回数３回以上や、５回以上等の少ない値にすることもできる。
【０２５２】
推測手段330は、役決定手段360で決定した役がレベル２に相当するボーナス役と、レア役（スイカ役）とであるような場合、このボーナス役と、スイカ役とに対応する計数手段340の計数結果に基づき、設定値を推測する（図１７参照）。
【０２５３】
例えば、推測手段330は、通常遊技開始後から遊技回数１０００回経過したときのレア役としてのスイカ役の当選回数が３４回の場合、推測当選確率として、３４／１０００＝１／２９．４１と算出する（図２５参照）。当選確率１／２９．４１は、推測用抽選値記憶手段380に記憶されている当選確率（図８参照）と比較すると、最も差の小さな当選確率に対応する設定値は設定２となる。一方、ボーナス役の当選回数が４回の場合、上述したように、設定６が算出されるが、精度は低く、参考値となり平均値の算出するための数値には用いられない。結果として、このレベル２の場合には、推測設定値は、「設定２」となり当該推測設定値を示唆する画面が表示装置84に表示される。
【０２５４】
推測手段330は、役決定手段360で決定した役がレベル３に相当するボーナス役と、レア役（スイカ役）と、通常役（ベル役）であるような場合、このボーナス役と、スイカ役と、ベル役とに対応する計数手段340の計数結果に基づき、設定値を推測する（図１７参照）。
【０２５５】
例えば、推測手段330は、通常遊技開始後から遊技回数１０００回経過したときの通常役としてのベル役の当選回数が８０回の場合、推測当選確率として、８０／１０００＝１／１２．５０と算出する（図２５参照）。当選確率１／１２．５０は、推測用抽選値記憶手段380に記憶されている当選確率（図８参照）と比較すると、最も差の小さな当選確率に対応する設定値は設定３となる。
【０２５６】
また、スイカ役の当選回数が３４回の場合、上述したように推測設定値は設定２となる。
一方、ボーナス役の当選回数が４回の場合、上述したように、設定６が算出されるが、精度は低く、参考値となり平均値の算出するための数値には用いられない。
結果として、このレベル３の場合には、推測設定値は「設定２」と「設定３」との平均値２．５となり、両隣の設定値の差は同一となって、四捨五入により、推測設定値は「３」となる。
【０２５７】
推測手段330は、レベル４の場合、役決定手段360で決定した役が、レベル３と同様にボーナス役と、スイカ役と、ベル役とに対応する計数手段340の計数結果に基づき、設定値を推測するとともに、推測設定値の履歴情報により、現在の推測設定値を推定する（図１７参照）。
例えば、推測設定値は、レベル３の場合と同様の算出処理により、設定３となり、さらに、例えば、推測設定値の履歴情報により、設定変更頻度は１週間であり、本日は、設定変更頻度の１週間の途中であって、昨日までの推測設定値が「設定３」であるような場合、「設定３」がそのまま継続して維持されている可能性が高く、且つ、上述した３つの役の当選回数により算出した推測設定値とから、現在の設定値は、「設定３」である可能性が高いことが示されるものである。当該内容が表示装置84により遊技者に表示される。
【０２５８】
本実施の形態における推測設定値の結果は、第２の実施の形態において、レベル１の推測設定値である設定６（参考値）、レベル２の推測設定値である設定２と、レベル３及び４の推測設定値である設定３と同一となる。したがって、上述したような電卓程度で可能な簡単な計算手法により推測設定値を決定することができる。
【０２５９】
なお、本実施の形態は、上述した構成や作用効果以外の内容は、第２の実施の形態で説明したものと略同様であって、同様の構成や、同様の作用効果を奏するものである。
上述した第１〜第５の実施の形態や、それらに記載したなお書き等の内容は、組み合わせ可能なものであれば、それらを任意に組み合わせるようにしてもよいものである。
【符号の説明】
【０２６０】
10  遊技機                              12  筐体
14  前扉                                16  図柄表示窓部
17  メダルセレクタ                      18  外部集中端子板
19  扉開閉用スイッチ                    20  上パネル
22  下パネル                            24  ホッパーユニット
26  メダル受け皿                        28  メダル払出口
30  操作部                              32  ベットスイッチ
34  マックスベットスイッチ              35  シングルベットスイッチ
36  精算スイッチ                        38  メダル投入口
40  スタートスイッチ                    42  演出用ボタンスイッチ
43  電源ユニット                        44  電源スイッチ
45  設定キースイッチ                    46  設定変更スイッチ
50  ストップスイッチ                    Ｌ  左ストップスイッチ
Ｃ  中ストップスイッチ                  Ｒ  右ストップスイッチ
60  リールユニット                      61  図柄
62  リール                              63  リール位置センサ
64  左リール                            65  リール駆動モータ
66  中リール                            67  バックランプ
68  右リール                            70  演出装置
72  スピーカー                          74  上部スピーカー
76  下部スピーカー                      78  演出用ランプ
79  区間報知ランプ                      80  上部ランプ
82  下部ランプ                          84  表示装置
86  有効ライン                          87  クレジット表示器
88  払出枚数表示器                      89  設定表示器
92  投入センサ                          94  払出センサ
95  ホッパーモータ                      96  オーバーフローセンサ
100  制御装置                          200  メイン制御手段
210  役抽選手段                        220  リール制御手段
230  停止図柄判定手段                  240  払出制御手段
250  遊技制御手段                      251  通常遊技制御手段
252  ＲＴ制御手段                      253  ボーナス遊技制御手段
254  ボーナス内部中制御手段            260  演出状態制御手段
265  設定値選択手段                    290  送信手段
300  サブ制御手段                      310  受信手段
320  演出実行制御手段                  330  推測手段
340  計数手段                          350  レベルアップ抽選手段
360  役決定手段                        370  レベルアップ抽選契機決定手段
380  推測用抽選値記憶手段
【図１】
2018094126.tif 000003
【図２】
2018094126.tif 000004
【図３】
2018094126.tif 000005
【図４】
2018094126.tif 000006
【図５】
2018094126.tif 000007
【図６】
2018094126.tif 000008
【図７】
2018094126.tif 000009
【図８】
2018094126.tif 000010
【図９】
2018094126.tif 000011
【図１０】
2018094126.tif 000012
【図１１】
2018094126.tif 000013
【図１２】
2018094126.tif 000014
【図１３】
2018094126.tif 000015
【図１４】
2018094126.tif 000016
【図１５】
2018094126.tif 000017
【図１６】
2018094126.tif 000018
【図１７】
2018094126.tif 000019
【図１８】
2018094126.tif 000020
【図１９】
2018094126.tif 000021
【図２０】
2018094126.tif 000022
【図２１】
2018094126.tif 000023
【図２２】
2018094126.tif 000024
【図２３】
2018094126.tif 000025
【図２４】
2018094126.tif 000026
【図２５】
2018094126.tif 000027
【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
少なくとも複数種類の設定値に応じて異なる抽選確率が設定された複数の所定役を含む役に当選するか否かの役抽選を行う役抽選手段と、
前記役の当選回数を個別に計数する計数手段と、
所定契機で前記設定値を推測する精度としてのレベルを引き上げ可能なレベルアップ抽選を行うためのレベルアップ抽選手段と、
前記レベルに応じて、前記設定値の推測に使用する役を決定する役決定手段と、
前記役決定手段で決定した役に対応する前記計数手段の計数結果に基づき、前記設定値を推測する推測手段と、
前記推測手段が推測した前記設定値に基づいて当該設定値を示唆する示唆演出を実行する演出手段とを備え、
前記レベルが引き上げられると、前記設定値の推測に使用する役の個数が増加可能となるように設定されていることを特徴とする遊技機。
【請求項２】
遊技の進行を制御するメイン制御手段と、
前記メイン制御手段から送信される情報に基づき遊技の進行に合わせた演出の制御を行うサブ制御手段とを備え、
前記メイン制御手段は、前記役抽選手段を備え、
前記役抽選の抽選結果に関する情報を前記サブ制御手段に送信し、
前記サブ制御手段は、
前記計数手段と、前記レベルアップ抽選手段と、前記役決定手段と、前記推測手段と、前記演出手段とを備えることを特徴とする請求項１に記載の遊技機。
【請求項３】
前記メイン制御手段は、前記設定値の変更に伴い、前記設定値の変更の有無を前記サブ制御手段に送信するように形成され、
前記推測手段は、前記メイン制御手段から送信される前記設定値の変更の有無の情報を参照して、前記設定値を推測可能としたことを特徴とする請求項２に記載の遊技機。
【請求項４】
前記メイン制御手段は、前記設定値を前記サブ制御手段へ送信するように形成され、
前記サブ制御手段は、前記メイン制御手段から送信されてきた前記設定値と、前記推測手段が推測した前記設定値とが異なる場合には、当該情報を外部へ出力可能としたことを特徴とする請求項２又は請求項３に記載の遊技機。
【請求項５】
前記推測手段は、複数の遊技に渡って、前記設定値の推測結果を記憶し、この記憶された前記設定値を参照して、現在の設定値を推測可能としたことを特徴とする請求項１、２、３又は４に記載の遊技機。
【請求項６】
前記推測手段が推測した前記設定値を示唆する情報を外部へ出力可能としたことを特徴とする請求項１、２、３、４又は５に記載の遊技機。
【手続補正２】
【補正対象書類名】明細書
【補正対象項目名】０００９
【補正方法】変更
【補正の内容】
【０００９】
本発明は、次の点を特徴とする。すなわち、少なくとも複数種類の設定値に応じて異なる抽選確率が設定された複数の所定役を含む役に当選するか否かの役抽選を行う役抽選手段210と、前記役の当選回数を個別に計数する計数手段340と、所定契機で前記設定値を推測する精度としてのレベルを引き上げ可能なレベルアップ抽選を行うためのレベルアップ抽選手段350と、前記レベルに応じて、前記設定値の推測に使用する役を決定する役決定手段360と、前記役決定手段360で決定した役に対応する前記計数手段340の計数結果に基づき、前記設定値を推測する推測手段330と、前記推測手段330が推測した前記設定値に基づいて当該設定値を示唆する示唆演出を実行する演出手段（例えば演出実行制御手段320）とを備え、前記レベルが引き上げられると、前記設定値の推測に使用する役の個数が増加可能となるように設定されていることを特徴とする。
【手続補正３】
【補正対象書類名】明細書
【補正対象項目名】００１１
【補正方法】変更
【補正の内容】
【００１１】
本発明では、予め設定された設定値ではなく、役抽選の結果、役の当選回数を個別に計数することで、当該遊技結果に基づいて設定値を推測している。この推測した設定値に基づいて、当該設定値を示唆する演出を実行することで、遊技者の関心事である当該遊技機10の現在の設定値を予測することができ、興趣に富むものにすることができる。
さらに、遊技を進めていくことで、設定値を推測する精度が変化するため、興趣に富むものにすることができる。
さらに、本発明では、予め設定された設定値の具体的な情報が無くても、設定値を推測することができ、いわゆるゴト等の不正行為により予め設定された設定値の情報が盗まれることを防止することが可能となる。
さらに、本発明によれば、レベルが引き上げられると、設定値の推測に使用する役の個数が増加可能となる。設定値の推測に使用する役の個数が増加すると、設定値の推測の精度がより正確なものとなり、推測する設定値の信頼度を向上させることができる。
【手続補正４】
【補正対象書類名】明細書
【補正対象項目名】００２２
【補正方法】削除
【補正の内容】
【手続補正５】
【補正対象書類名】明細書
【補正対象項目名】００２３
【補正方法】削除
【補正の内容】